(57)【要約】【課題】ユーザが少なくとも一部を視聴した番組に関するメタ情報と、視聴中のユーザの反応を組み合わせることで、有益な情報を表示する表示装置を実現する。【解決手段】ユーザが少なくとも一部を視聴した番組に関する関連情報を取得する関連情報取得部（１５）と、反応タイミングを特定するタイミング特定部（３０）と、反応タイミングに応じて定まる関連情報を表示する表示制御部（１２）とを備える。【選択図】図１
2019047477.tif 000002
【特許請求の範囲】
【請求項１】
ユーザが少なくとも一部を視聴した番組に関する関連情報であって、当該番組の放送中又は放送後に当該番組の放送内容に基づいて生成された関連情報を取得する関連情報取得部と、
ユーザの反応に応じて反応タイミングを特定するタイミング特定部と、
上記タイミング特定部が特定した反応タイミングに応じて定まる関連情報を表示部に表示する表示制御部と
を備えていることを特徴とする表示装置。
【請求項２】
上記タイミング特定部は、ユーザによる操作に応じて上記反応タイミングを特定することを特徴とする請求項１に記載の表示装置。
【請求項３】
周囲の音を集音するマイクを更に備え、
上記タイミング特定部は、上記マイクが集音した音に応じて上記反応タイミングを特定することを特徴とする請求項１又は請求項２に記載の表示装置。
【請求項４】
上記表示制御部は、上記関連情報取得部が取得した関連情報のうち、上記タイミング特定部が特定した反応タイミングに応じて定まる関連情報を表示する場合、反応タイミングに応じて定まる関連情報であることを示す情報を表示することを特徴とする請求項１から請求項３の何れか１項に記載の表示装置。
【請求項５】
上記表示制御部は、
上記反応タイミングに応じて定まる優先度が付与された関連情報を表示部に表示する
ことを特徴とする請求項１から４までの何れか１項に記載の表示装置。
【請求項６】
上記優先度が付与される関連情報は、上記タイミング特定部が特定した上記反応タイミングの前後の所定の時間幅に含まれる所定の時間に紐づけられた関連情報である
ことを特徴とする請求項５に記載の表示装置。
【請求項７】
上記表示制御部は、当該関連情報に付与された優先度に応じた表示態様で上記関連情報を表示部に表示する
ことを特徴とする請求項５又は６に記載の表示装置。
【請求項８】
上記表示制御部は、上記優先度が高い関連情報を優先して表示部に表示する
ことを特徴とする請求項５から７までの何れか１項に記載の表示装置。
【請求項９】
上記表示制御部は、画面表示の終了に起因して上記関連情報を表示部に表示させることを特徴とする請求項１から８までの何れか１項に記載の表示装置。
【請求項１０】
上記表示制御部は、上記関連情報を取得したことに起因して、上記関連情報又は上記関連情報を取得した旨の情報を表示部に表示させることを特徴とする請求項１から８までの何れか１項に記載の表示装置。
【請求項１１】
上記表示制御部は、上記関連情報を取得したことに起因して画面を表示し、上記関連情報を表示部に表示させることを特徴とする請求項１から８までの何れか１項に記載の表示装置。
【請求項１２】
上記表示制御部は、画面表示の開始に起因して上記関連情報を表示部に表示させることを特徴とする請求項１から８までの何れか１項に記載の表示装置。
【請求項１３】
遠隔報知部を更に備え、
上記遠隔報知部は、上記関連情報又は上記関連情報を取得した旨の情報を携帯端末装置に表示させる
ことを特徴とする請求項１から１２までの何れか１項に記載の表示装置。
【請求項１４】
遠隔報知部を更に備え、
上記遠隔報知部は、上記関連情報又は上記関連情報を取得した旨の情報を電気機器に報知させる
ことを特徴とする請求項１から１２までの何れか１項に記載の表示装置。
【請求項１５】
上記表示制御部は、
上記関連情報の表示する内容に応じて上記関連情報を表示部に表示させる時間を決定する
ことを特徴とする請求項１から１４までの何れか１項に記載の表示装置。
【請求項１６】
上記表示制御部は、
上記関連情報の情報源が複数存在する場合に、
上記情報源に応じた表示態様にて関連情報を表示部に表示させる
ことを特徴とする請求項１から１５までの何れか１項に記載の表示装置。
【請求項１７】
請求項１から１６までの何れか１項に記載の表示装置を備えていることを特徴とするテレビジョン受像機。
【請求項１８】
ユーザが少なくとも一部を視聴した番組に関する関連情報であって、当該番組の放送中又は放送後に当該番組の放送内容に基づいて生成された関連情報を記憶する記憶部と、
ユーザの反応を示すユーザ反応情報を取得する取得部と、
上記取得部が取得したユーザの反応に応じて反応タイミングを特定し、特定した反応タイミングに応じて、上記記憶部に記憶された関連情報から、表示装置に出力すべき関連情報を抽出する抽出部と、
上記抽出部が抽出した関連情報を上記表示装置に出力する関連情報出力部と
を備えていることを特徴とする情報処理装置。
【請求項１９】
請求項１から１６までのいずれか１項に記載の表示装置と
上記関連情報を出力する情報処理装置と、
を備えていることを特徴とする表示システム。
【請求項２０】
請求項１から１６までの何れか１項に記載の表示装置としてコンピュータを機能させるための制御プログラムであって、上記関連情報取得部、上記タイミング特定部及び上記表示制御部としてコンピュータを機能させるための制御プログラム。
【請求項２１】
請求項２０に記載の制御プログラムを記録したコンピュータ読み取り可能な記録媒体。
【発明の詳細な説明】
【技術分野】
【０００１】
本発明は表示装置、テレビジョン受像機、情報処理装置、表示システム、制御プログラム、及び記録媒体に関する。
【背景技術】
【０００２】
テレビ番組の放送波に併せてＳＩ情報（Ｓｅｒｖｉｃｅ  Ｉｎｆｏｒｍａｔｉｏｎ）を配信する技術が従来技術として知られている。ＳＩ情報とはテレビ番組の放送時間帯や出演者等に関する情報であり、ＥＰＧ（Ｅｌｅｃｔｏｒｏｎｉｃ  Ｐｒｏｇｒａｍ  Ｇｕｉｄｅ）もＳＩ情報の一種である。
【０００３】
また、類似の技術として番組の放送中またはその前後に当該番組に関するメタ情報を生成し、例えばインターネット経由で配信する技術が知られている。
【先行技術文献】
【特許文献】
【０００４】
【特許文献１】特開２００１−２５８０１１号公報（２００１年９月２１日公開）
【発明の概要】
【発明が解決しようとする課題】
【０００５】
ＳＩ情報及び番組の開始前に配信されるメタ情報はコンテンツに関する情報が十分でなく、当該番組の詳細な内容を反映したものであるとは言い難い。その為現状では、番組の放送中又は放送後に、当該番組にて紹介された商品等のメタ情報を手入力で生成し、希望する企業等に上記メタ情報を有料で提供する企業も存在する。
【０００６】
しかしながら、上記のようなメタ情報は、テレビの膨大なメタ情報だけでは、ユーザの求める表示、またはユーザに有益な情報に絞った表示が難しいという問題がある。
【０００７】
本発明の一態様は、上記の課題を鑑みてなされたものであり、ユーザが少なくとも一部を視聴した番組に関するメタ情報と、視聴中のユーザの反応を組み合わせることで、有益な情報を表示する表示装置を実現することを目的とする。
【課題を解決するための手段】
【０００８】
上記の課題を解決するために、本発明の一態様に係る表示装置は、ユーザが少なくとも一部を視聴した番組に関する関連情報であって、当該番組の放送中又は放送後に当該番組の放送内容に基づいて生成された関連情報を取得する関連情報取得部と、ユーザの反応に応じて反応タイミングを特定するタイミング特定部と、上記タイミング特定部が特定した反応タイミングに応じて定まる関連情報を表示する表示制御部とを備えている。
【０００９】
上記の課題を解決するために、本発明の一態様に係る情報処理装置は、ユーザが少なくとも一部を視聴した番組に関する関連情報であって、当該番組の放送中又は放送後に当該番組の放送内容に基づいて生成された関連情報を記憶する記憶部と、ユーザの反応を示すユーザ反応情報を取得する取得部と、上記取得部が取得したユーザの反応に応じて反応タイミングを特定し、特定した反応タイミングに応じて、上記記憶部に記憶された関連情報から、表示装置に出力すべき関連情報を抽出する抽出部と、上記抽出部が抽出した関連情報を上記表示装置に出力する関連情報出力部とを備えている。
【発明の効果】
【００１０】
本発明の一態様によれば、ユーザが少なくとも一部を視聴した番組に関するメタ情報と、視聴中のユーザの反応を組み合わせることで、有益な情報を表示することができる。
【図面の簡単な説明】
【００１１】
【図１】関連情報表示の例１−１に係る表示システム１の機能ブロック図である。
【図２】表示画面への関連情報の表示例を示す図である。
【図３】関連情報表示の例１−１に係る関連情報表示の流れを示す図である。
【図４】関連情報表示の例１−１に係るシーケンス図である。
【図５】関連情報表示の例１−１の変形例に係る関連情報表示の流れを示す図である。
【図６】関連情報表示の表示タイミング例１−１に係る関連情報表示の流れを示す図である。
【図７】関連情報表示の表示タイミング例１−１に係るシーケンス図である。
【図８】関連情報表示の表示タイミング例１−２に係る表示システム１ａの機能ブロック図である。
【図９】関連情報表示の表示タイミング例１−２に係るシーケンス図である。
【図１０】関連情報表示の表示タイミング例１−３に係るシーケンス図である。
【図１１】関連情報表示の表示タイミング例２に係る関連情報表示の流れを示す図である。
【図１２】関連情報表示の表示タイミング例３に係る関連情報表示の流れを示す図である。
【図１３】関連情報表示の表示タイミング例４−１に係る関連情報表示の流れを示す図である。
【図１４】関連情報表示の表示タイミング例４−１に係るシーケンス図である。
【図１５】関連情報表示の表示タイミング例４−２に係る表示システム１ｂの機能ブロック図である。
【図１６】関連情報表示の表示タイミング例４−２に係るシーケンス図である。
【図１７】関連情報表示の表示タイミング例４−３に係るシーケンス図である。
【図１８】関連情報表示の例１−２に係るシーケンス図である。
【図１９】関連情報表示の例１−３に係る表示システムの機能ブロック図である。
【図２０】関連情報表示の例１−３に係るシーケンス図である。
【図２１】関連情報の端末表示例に係る表示システム及び携帯端末装置の機能ブロック図である。
【図２２】関連情報の端末表示例における関連情報表示の流れを示す図である。
【図２３】関連情報の報知例に係る表示システム及び電気機器の機能ブロック図である。
【図２４】関連情報の報知例における関連情報表示の流れを示す図である。
【図２５】関連情報表示時間の制御例における関連情報表示の流れを示す図である。
【図２６】関連情報の抽出表示例における関連情報表示の流れを示す図である。
【発明を実施するための形態】
【００１２】
〔実施形態〕
本発明の実施形態について図１〜図２６に基づいて説明すれば以下の通りである。
【００１３】
図１に基づいて本例に係る表示システム１の構成を説明する。
【００１４】
図１は本発明の本例に係る表示システム１の機能ブロック図である。
【００１５】
図１に示す通り、表示システム１はテレビジョン受像機３と情報処理装置２０とを備え、テレビジョン受像機３はチューナー４と表示装置１０とを備えている。
【００１６】
なお、一例として、情報処理装置２０は、テレビジョン受像機３とインターネット等の通信経路によって接続されるサーバとして実現される。ただし、本実施形態はこれに限定されるものではない。また、情報処理装置２０と表示装置１０とを一体として実現する構成、換言すれば、情報処理装置２０の機能を表示装置１０が実現する構成も本実施形態に含まれる。
【００１７】
表示装置１０は制御部１１、表示制御部１２、表示部１３、記憶部１４、関連情報取得部１５、ユーザ信号取得部１７、タイミング特定部３０、及びマイク３１を備えている。
【００１８】
制御部１１は、表示装置１０の各部に対する全般的な制御を行う。表示制御部１２は、表示部１３を制御する。表示制御部１２は、例えば、番組、コマーシャルメッセージ及び関連情報等のコンテンツを表示部１３に表示する場合において、上記表示に関する制御を行う。なお、制御部１１が表示制御部１２を備えた構成であっても構わない。表示部１３は、表示制御部１２の指示に基づき、表示画面の表示を行う。関連情報取得部１５は、情報処理装置２０から関連情報の取得を行う。ここで、本実施例における関連情報とは、ユーザが少なくとも一部を視聴した番組に関する情報であって、当該番組の放送中又は放送後に当該番組の放送内容に基づいて生成される。
【００１９】
例えば、コンテンツプロバイダ等は、メタ情報のうち、特に当該番組の放送中又は放送後に生成された所謂後メタ情報から、関連情報を生成し、ユーザに対し提供する。この場合、関連情報は、上記後メタ情報、及び上記後メタ情報に基づき生成された情報である。
【００２０】
記憶部１４は、ユーザの視聴履歴データ及び関連情報取得部１５が取得した上記関連情報データの保持を行う。ユーザ信号取得部１７は、ユーザが関連情報の参照を希望するという旨の信号及びユーザが上記関連情報の表示の終了を希望する旨の信号を取得する。上記信号はリモコンから、あるいは表示装置１０ｃに対する直接の操作により発せられる。マイク３１は、周囲の音を集音する。
【００２１】
タイミング特定部３０は、ユーザの反応に応じて反応タイミングを特定する。
タイミング特定部３０は、ユーザ信号取得部１７が取得したユーザの操作、例えば、ユーザによる、表示装置１０のリモコンの「いいね」ボタン操作により発された信号に応じて、ユーザが反応した反応タイミングを特定することができる。
【００２２】
また、タイミング特定部３０は、マイク３１が集音した音に応じてユーザの反応の反応タイミングを特定することができる。
【００２３】
例えば、タイミング特定部３０は、マイク３１がユーザの特定の発声（例えば、「いいね」という発声）を集音した場合に、ユーザが反応したと判定して、ユーザの反応の反応タイミングを特定することができる。また、タイミング特定部３０は、マイク３１が所定以上の盛り上がり音を集音した場合に、ユーザが反応したと判定して、ユーザの反応の反応タイミングを特定することができる。表示制御部１２は、タイミング特定部３０が特定した反応タイミングに応じて定まる関連情報を優先的に表示する。
【００２４】
情報処理装置２０は、制御部２１、関連情報生成部２２、記憶部２３、取得部３２、抽出部３３、関連情報出力部２４及び受信部２５を備えている。
【００２５】
制御部２１は、情報処理装置２０の各部に対する全般的な制御を行う。関連情報生成部２２は、受信部２５が受信したメタ情報に基づき各番組に関する関連情報の生成を行う。記憶部２３は、関連情報生成部２２が生成した上記関連情報データを保持する。取得部３２は、ユーザの反応を示すユーザ反応情報を表示装置１０から取得する。抽出部３３は、取得部３２が取得したユーザの反応に応じて反応タイミングを特定し、特定した反応タイミングに応じて、記憶部２３に記憶された関連情報から、反応タイミングに応じて定まる関連情報を抽出し、特定する。表示制御部１２は、関連情報取得部１５が取得した関連情報のうち、タイミング特定部３０が特定した反応タイミングに応じて定まる関連情報である場合反応タイミングに応じて定まる関連情報であることを示す情報を表示する。すなわち、表示制御部１２は、抽出部３３が抽出し、特定した関連情報を表示する場合、反応タイミングに応じて定まる関連情報であることを示す情報を表示する。関連情報出力部２４は、表示装置１０に対して関連情報の送信を行う。受信部２５は、メタ情報配信装置２からメタ情報の受信を行う。
【００２６】
メタ情報配信装置２は、各番組の放送内容から抽出したメタ情報の配信元であり、例えば、当該番組の放送中又は放送後に当該番組内容に関連したメタ情報であって、時系列に沿ったメタ情報を提供する装置等を指す。
【００２７】
上記メタ情報に関して更に説明すれば以下の通りである。メタ情報とは、一例として、放送されたテレビ番組やＣＭから抽出した内容を、テキスト化、データベース化したデータである。例えば、当該放送の音声を音声解析や手作業等によりテキスト化、又はデータベース化したデータであり、一例として、当該放送の５分〜２０分後に生成される。
【００２８】
メタ情報は、当該番組の放送時間より前に生成することも可能ではあるが、当然に当該番組の放送中または放送後の方がより詳細な情報を生成することが可能である。
【００２９】
以下、本明細書においてメタ情報とは、特にことわりのない限り、番組の放送中または放送後に生成された情報のことを指す。一例として、メタ情報は、番組データ、商品データ、店舗データ及びＣＭデータに大別でき、それぞれ以下のような情報を含み得る。以下では、番組の放送中または放送後に生成されたメタ情報を、後メタ情報とも呼称する。
・番組データ
・放送日、曜日、放送時間
・放送局、番組名
・番組放送時間
・ジャンル
・商品概要
・店舗データ
・店舗名、住所
・店舗概要、ＵＲＬ
・放送での紹介状況
・ジャンル
・ＣＭデータ
・放送日、放送時間
・放送局
・ジャンル
・ＣＭ広告主企業
・ＣＭ商品名
また、上記後メタ情報及び上記後メタ情報に基づき生成された情報を、本明細書において関連情報という。関連情報は、上述のように、例えば、関連情報生成部２２によって生成される。
【００３０】
続いて、表示制御部１２が表示部１３に表示させる関連情報表示画面７１について図２に基づいて説明する。
【００３１】
図２は後メタ情報に基づき生成された関連情報の一例を含むカードの表示例である。カード７１Ａ〜７１Ｄに含まれる情報は、放送中または放送後の番組の内容から抽出されたメタ情報から生成された関連情報である。例えば図２の７１Ａにおいては、データ名７２Ａ、商品ジャンル７２Ｂ、商品名７２Ｃ，放送時間７２Ｄ，放送局７２Ｅ、番組名７２Ｆ、及び情報提供者名７２Ｇを含む。
【００３２】
また、関連情報表示画面７１は、カード（図２に示す例においてはカード７１Ａ）に対応付けて、例えば『「いいね！」ボタン対象』というテキスト情報７２Ｈを含む場合がある。このテキスト情報７２Ｈは、ユーザの反応に応じて特定された反応タイミングに応じて定まる関連情報であることを示す情報である。テキスト情報７２Ｈは、例えば、ユーザにより、表示装置１０のリモコンの「いいね」ボタンが操作された番組の内容に関するカードを表示する場合に関連情報表示画面７１に含まれる。
【００３３】
また、カウントダウン表示７３に示すように、関連情報表示を終了させるまでの時間を表示しても構わない。
【００３４】
画面に表示する関連情報は図２に示す構成に限定されるものではなく、例えば当該関連情報がＵＲＬを含み、上記ＵＲＬを選択すると、上記ＵＲＬのページに画面が遷移するという構成でもよい。
【００３５】
また、関連情報として、後メタ情報に含まれる情報をそのまま用いる構成としてもよいし、後メタ情報に含まれる情報を参照したうえで、関連情報を生成する構成としてもよい。
【００３６】
後メタ情報に基づく関連情報の生成の一例として、
・制御部１１が、後メタ情報に含まれるリンク先情報を、例えばアフィリエイトに関する情報を含むように書き換えたうえで、関連情報として用いるという構成
・制御部１１が、後メタ情報に含まれる情報に文言を追加したうで、関連情報として用いるという構成
などが挙げられる。
【００３７】
以下、各例ではユーザが少なくとも一部を視聴した関連情報を表示する構成について説明する。
＜関連情報表示の例１−１＞
（商品を紹介する場合）
本例について、図１及び図３〜図４に基づいて説明すれば、以下の通りである。
【００３８】
本例においては、画面表示の終了に起因して関連情報を表示する表示装置の構成例について説明する。
【００３９】
図３は本例における関連情報表示の流れを示す図である。
【００４０】
図４は図３で示す処理において、ユーザが番組視聴を開始し、表示画面に関連情報が表示されるまでを示したシーケンス図であり、以下画面に関連情報が表示されるまで、図４のステップ番号ごとの説明を行う。
【００４１】
メタ情報配信装置２は、放送波による番組の放送中または放送後に番組ごとに当該番組の内容から抽出したメタ情報を時系列に沿って生成する。情報処理装置２０が備える受信部２５は上記メタ情報をメタ情報配信装置２から受信する。（Ｓ５０１）
関連情報生成部２２は上記メタ情報を参照し、当該番組に関連した関連情報を生成する。制御部２１は関連情報生成部２２が生成した上記関連情報を記憶部２３に格納する。（Ｓ５０２）
ユーザが所定の番組の視聴を行う場合、図３の５０Ａに示すように、表示制御部１２が表示部１３に当該番組の映像の表示を開始する。
【００４２】
本実施例において、ユーザが表示部１３に表示されている商品に興味を持った場合に、表示装置１０は、ユーザの反応を捉えることができる。一例として、表示装置１０のリモコンが「いいね」ボタンを備え、ユーザは当該「いいね」ボタンを押下することで、表示装置１０に対して、商品に興味を持っていることを伝えることができる。また、他の例として、ユーザが発声し、マイク３１がユーザの発声を集音することで、表示装置１０に対して、商品に興味を持っていることを伝えることができる。
【００４３】
図３の５０Ａに示す例のように、表示部１３に「○○写真集」という本の紹介が表示され、ユーザが「この本、面白いかも」と感じた場合、ユーザは表示装置１０のリモコンの「いいね」ボタンを押下することができる。
【００４４】
タイミング特定部３０は、ユーザの反応に応じて反応タイミングを特定する。（Ｓ５０３）タイミング特定部３０は、例えば、ユーザによる表示装置１０のリモコンの「いいね」ボタン操作、マイク３１が集音したユーザの音声に応じて、ユーザが反応した反応タイミングを特定することができる。図３に示す例においては、１１：５０に「いいね」ボタンが押下されたので、タイミング特定部３０は、ユーザが反応した反応タイミングが１１：５０であると特定する。
【００４５】
また、表示制御部１２は、タイミング特定部３０がユーザの反応を特定したことに応じて、「受け付けました」と表示部１３に表示させることができる。
【００４６】
取得部３２は、ユーザの反応を示すユーザ反応情報を表示装置１０から取得する。（Ｓ５０４）ユーザ反応情報は、ユーザが反応した時刻を示す情報、およびその時刻にユーザが視聴していた番組を示す情報を含む。
【００４７】
抽出部３３は、取得部３２が取得したユーザ反応情報に応じてユーザが反応した反応タイミングを特定するとともに、番組を特定し、特定した反応タイミング、および番組に応じて、記憶部２３に記憶された関連情報から、表示装置１０に出力すべき関連情報を抽出する。（Ｓ５０５）具体的には、抽出部３３は、時刻と番組とから、ユーザが反応した商品を特定し、当該商品に関連する関連情報を表示装置１０に出力すべき関連情報として記憶部２３に記憶された関連情報から抽出し、特定する。
【００４８】
関連情報出力部２４は、抽出部３３が抽出した関連情報を含む関連情報を、表示装置１０に送信する。（Ｓ５０６）
関連情報取得部１５は上記関連情報を受信し、制御部１１は上記関連情報を記憶部１４に格納する。（Ｓ５０７）
次いでユーザが番組の視聴を終了し、表示装置１０のリモコンの電源ボタンを押下する等の表示部１３の画面表示をＯＦＦにする操作を行う。（Ｓ５０８）
表示制御部１２は、図３の５０Ｂに示すように、記憶部１４に格納されている上記関連情報を表示部１３に表示する。（Ｓ５０９）また、表示制御部１２は、タイミング特定部３０が特定した反応タイミングに応じて定まる関連情報を表示する場合、反応タイミングに応じて定まる関連情報であることを示す情報を表示する。
【００４９】
本実施例においては、ユーザが反応した商品に関する関連情報であることを示す情報も表示部１３に表示するので、表示部１３の限られた画面内に、よりユーザにとって有益な情報を表示することができる。
【００５０】
本実施例において、上記関連情報の表示中に上記関連情報の参照等を行う場合、ユーザは、表示装置１０のリモコンの赤、青、緑、黄等色ボタンを押下する。
【００５１】
図３に示す例では、表示制御部１２は、３枚のカードを表示させており、各々のカードの縁部には異なる色を付す。この異なる色は、赤、青、緑、黄等であり、表示装置１０のリモコンの色ボタンの色と対応付いている。例えば、５０Ｂの真中のカードの縁部は赤であった場合、表示装置１０のリモコンの赤ボタンが押下されると、表示制御部１２は、図３の５０Ｃのような画面を表示させる。図３の５０Ｃは、「○○写真集」という本の購入についての詳細な情報を表示する画面である。
【００５２】
また、図３の５０Ｃのように上記関連情報の表示中に上記関連情報の参照等を行った場合においては、表示制御部１２は所定の時間の経過後に表示部１３の画面をＯＦＦにするという当初の操作をキャンセルする。
【００５３】
上記関連情報の表示中に上記関連情報の参照等を行わない場合、所定の時間の経過後に表示制御部１２は、図３の５０Ｄのように表示部１３の画面をＯＦＦにする。また、ユーザが再度表示部１３の画面表示をＯＦＦにする操作を行った場合、すぐさま上記関連情報の表示を終了する構成でもよい。
【００５４】
ステップＳ５０３からステップＳ５０９までにおいて上述したように、表示装置１０は、ユーザが少なくとも一部を視聴した番組に関する関連情報であって、当該番組の放送中又は放送後に当該番組の放送内容に基づいて生成された関連情報を取得する関連情報取得部１５と、ユーザの反応に応じて反応タイミングを特定するタイミング特定部３０と、タイミング特定部３０が特定した反応タイミングに応じて定まる関連情報を表示部１３に表示する表示制御部１２とを備えている。
【００５５】
上記の構成によれば、ユーザが番組の視聴を終了したタイミングで関連情報を提供できるので、番組の視聴を阻害することなく関連情報を提供できる効果を奏する。
【００５６】
また、ステップＳ５０４からステップＳ５０６までにおいて上述したように、情報処理装置２０は、ユーザが少なくとも一部を視聴した番組に関する関連情報であって、当該番組の放送中又は放送後に当該番組の放送内容に基づいて生成された関連情報を記憶する記憶部２３と、ユーザの反応を示すユーザ反応情報を取得する取得部３２と、取得部３２が取得したユーザの反応に応じて反応タイミングを特定し、特定した反応タイミングに応じて、記憶部２３に記憶された関連情報から、表示装置１０に出力すべき関連情報を抽出する抽出部３３と、抽出部３３が抽出した関連情報を表示装置１０に出力する関連情報出力部２４とを備えている。
【００５７】
上記の構成によれば、不要な関連情報は表示装置１０に送信しないため、ネットワークと表示装置１０とに対する負荷を軽減させる効果を奏する。
【００５８】
（場所を紹介する場合）
図５の６０Ａに示す例のように、表示部１３に茨城県のそば屋の「○○」の店舗の紹介が表示され、ユーザが「このお店、行ってみたい」と感じた場合、ユーザは表示装置１０のリモコンの「いいね」ボタンを押下することができる。
【００５９】
図５に示す例においては、１２：３０に「いいね」ボタンが押下されたので、タイミング特定部３０は、ユーザが反応した反応タイミングが１２：３０であると特定する。
【００６０】
関連情報取得部１５は抽出部３３が時刻と番組とから特定した店舗に関連する関連情報を含む関連情報を受信し、制御部１１は上記関連情報を記憶部１４に格納する。
【００６１】
ユーザが番組の視聴を終了し、表示部１３の画面表示をＯＦＦにする操作を行うと、表示制御部１２は、図５の６０Ｂに示すように、記憶部１４に格納されている上記関連情報を表示部１３に表示する。
【００６２】
また、ユーザの表示装置１０のリモコンの色ボタンの押下に応じ、表示制御部１２は、店舗についての詳細な情報を表示する画面である図５の６０Ｃのような画面を表示させる。
【００６３】
さらに、本実施例においては、店舗のような場所を紹介する関連情報が選択された場合、図５の６０Ｃに表示される情報を、スマートフォン６１にも送信することができる。これにより、ユーザは、表示装置１０に紹介され興味を持った場所を訪れた場合に、その場所にて関連情報を参照することができる。
【００６４】
また、上記関連情報の表示中に上記関連情報の参照等を行わない場合、所定の時間の経過後に表示制御部１２は、図５の６０Ｄのように表示部１３の画面をＯＦＦにする。
【００６５】
なお、放送中の番組において、商品または場所についての紹介がされていない場合においても、ユーザは、商品または場所に興味を持っており、その商品または場所の関連情報を参照したい旨を、表示装置１０に対して伝えることができる。例えば、放送中の番組で関連情報を参照したい商品または場所が映されたタイミングでユーザがリモコンの「いいね」ボタンを押下する操作を行って、商品または場所に興味を持っていることを示す信号を表示装置１０に送信する。ユーザ信号取得部１７が上記信号を取得すると、タイミング特定部３０は、ユーザの反応に応じて、ユーザの反応の反応タイミングを特定し、情報処理装置２０にユーザ反応情報を出力することができる。そして、情報処理装置２０は、ユーザ反応情報に応じて特定したタイミング、および番組に応じて、表示装置１０に出力すべき関連情報を抽出することができる。
【００６６】
なお、以下、関連情報が商品である場合を例に挙げて、各例について説明するが、関連情報が場所である場合においても、以下の各例は成り立つ。
【００６７】
＜関連情報表示の例１−２＞
本例について図１、図３、及び図１８に基づいて説明すれば、以下の通りである。
【００６８】
本例においては、ユーザによる反応のタイミングに応じて、情報処理装置が、関連情報に優先度を付与する構成例について説明する。なお便宜上、上記の例において説明した部材と同じ機能を有する部材については、同じ符号を付記し、説明を省略する。
【００６９】
本例においても図１に示す構成を用いる。ただし、本例においては、関連情報生成部２２が、関連情報に対して優先度を付与する。
【００７０】
図１８は、ユーザが番組視聴を開始し、表示画面に関連情報が表示されるまでを示したシーケンス図である。以下、図１８のステップ番号ごとの説明を行う。
【００７１】
メタ情報配信装置２は、放送波による番組の放送中または放送後に番組ごとに当該番組の内容から抽出したメタ情報を時系列に沿って生成する。情報処理装置２０が備える受信部２５は上記メタ情報をメタ情報配信装置２から受信する。（Ｓ５０１）
関連情報生成部２２は上記メタ情報を参照し、当該番組に関連した関連情報を生成する。制御部２１は関連情報生成部２２が生成した上記関連情報を記憶部２３に格納する。（Ｓ５０２）
ユーザが所定の番組の視聴を行う場合、図３の５０Ａに示すように、表示制御部１２が表示部１３に当該番組の映像の表示を開始する。
【００７２】
本実施例において、ユーザが表示部１３に表示されている商品に興味を持った場合に、表示装置１０は、ユーザの反応を捉えることができる。一例として、表示装置１０のリモコンが「いいね」ボタンを備え、ユーザは当該「いいね」ボタンを押下することで、表示装置１０に対して、商品に興味を持っていることを伝えることができる。また、他の例として、ユーザが発声し、マイク３１がユーザの発声を集音することで、表示装置１０に対して、商品に興味を持っていることを伝えることができる。
【００７３】
図３の５０Ａに示す例のように、表示部１３に「○○写真集」という本の紹介が表示され、ユーザが「この本、面白いかも」と感じた場合、ユーザは表示装置１０のリモコンの「いいね」ボタンを押下することができる。
【００７４】
タイミング特定部３０は、ユーザの反応に応じて反応タイミングを特定する。（Ｓ５０３）タイミング特定部３０は、例えば、ユーザによる表示装置１０のリモコンの「いいね」ボタン操作、マイク３１が集音したユーザの音声に応じて、ユーザが反応した反応タイミングを特定することができる。図３に示す例においては、１１：５０に「いいね」ボタンが押下されたので、タイミング特定部３０は、ユーザが反応した反応タイミングが１１：５０であると特定する。
【００７５】
また、表示制御部１２は、タイミング特定部３０がユーザの反応を特定したことに応じて、「受け付けました」と表示部１３に表示させることができる。
【００７６】
取得部３２は、ユーザの反応を示すユーザ反応情報を表示装置１０から取得する。（Ｓ５０４）ユーザ反応情報は、ユーザが反応した時刻を示す情報、およびその時刻にユーザが視聴していた番組を示す情報を含む。
【００７７】
抽出部３３は、取得部３２が取得したユーザ反応情報に応じてユーザが反応した反応タイミングを特定するとともに、番組を特定し、特定した反応タイミング、および番組に応じて、記憶部２３に記憶された関連情報から、表示装置１０に出力すべき関連情報を抽出する。（Ｓ５０５）具体的には、抽出部３３は、時刻と番組とから、ユーザが反応した商品を特定し、当該商品に関連する関連情報を表示装置１０に出力すべき関連情報として記憶部２３に記憶された関連情報から抽出し、特定する。
【００７８】
なお、抽出部３３は、１つのユーザ反応情報に対して複数の関連情報を抽出してもよい。例えば、抽出部３３が、タイミング特定部３０が特定した上記反応タイミングの前後の所定の時間幅に含まれる所定の時間に紐づけられた１又は複数の関連情報を抽出する構成でもよい。
【００７９】
関連情報生成部２２は、抽出部３３が抽出した関連情報に対して優先度を付与する。（Ｓ５１１）上記の構成を換言すると、優先度が付与される関連情報は、タイミング特定部３０が特定した上記反応タイミングの前後の所定の時間幅に含まれる所定の時間に紐づけられた関連情報である。上記の構成によれば、優先度の有無により、上記所定の時間幅に含まれるタイミングに紐づけられた関連情報であるか否かを判別できる。
【００８０】
関連情報生成部２２は、通常、上記特定した反応タイミングにより近いタイミングに紐づけられた関連情報に対してより高い優先度を付与する。また、関連情報生成部２２は、通常、上記特定した反応タイミングと同じ時間だけ離れたタイミングに紐づけられた関連情報であっても、上記特定した反応タイミングに放送されていた番組又はシーンと同じ番組又はシーンに紐づけられた関連情報に対してより高い優先度を付与する。なお、同一の関連情報であっても、送信先毎に、当該関連情報に付与される優先度は異なる。
【００８１】
また、抽出部３３が抽出した関連情報以外の関連情報に対しても優先度が付与される構成でも構わない。
【００８２】
関連情報出力部２４は、抽出部３３が抽出した関連情報を含む関連情報を、表示装置１０に送信する。（Ｓ５０６）
関連情報取得部１５は上記関連情報を受信し、制御部１１は上記関連情報を記憶部１４に格納する。（Ｓ５０７）
次いでユーザが番組の視聴を終了し、表示装置１０のリモコンの電源ボタンを押下する等の表示部１３の画面表示をＯＦＦにする操作を行う。（Ｓ５０８）
表示制御部１２は、記憶部１４に格納された関連情報であって、上記反応タイミングに応じて定まる優先度が付与された関連情報を表示部１３に表示する。上記の構成によれば、当該関連情報における優先度により、ユーザに対する重要度を区分することができる。
【００８３】
なお、表示制御部１２は、当該関連情報に付与された優先度に応じた表示態様で、上記関連情報を表示部１３に表示する。優先度に応じた表示態様の例としては、優先度が高い関連情報には、装飾した枠を付加する構成等が挙げられる。（Ｓ５１２）上記の構成によれば、例えば、より優先度の高い関連情報を装飾することで、ユーザが当該関連情報を認識しやすくなる効果を奏する。
【００８４】
また、表示制御部１２は、表示部１３に一度に表示可能な関連情報の数よりも、表示候補である関連情報の数が多い場合に、上記優先度が高い関連情報を優先して表示部１３に表示する。表示制御部１２は、例えば、表示部１３に一度に表示可能な関連情報が３つであって、表示候補である関連情報が４つである場合においては、優先度が高い上位３つの関連情報を表示部１３に表示する。上記の構成によれば、表示部１３に一度に表示可能な関連情報の数よりも、表示候補である関連情報の数が多い場合においても、より好適な関連情報をユーザに対して提示することができる。
なお、例えばユーザのリモコン操作によって、画面をスクロール又は切り替えることにより、関連情報取得部１５が取得した関連情報を全て表示部１３に表示可能な構成でもよい。
【００８５】
なお、関連情報取得部１５が取得した関連情報が１つも存在しない場合、表示制御部１２は、好適な関連情報が存在しない旨を表示部１３に表示してもよい。
【００８６】
また、表示制御部１２は、タイミング特定部３０が特定した反応タイミングに応じて定まる関連情報を表示する場合、反応タイミングに応じて定まる関連情報であることを示す情報を表示する。
【００８７】
本実施例においては、ユーザが反応した商品に関する関連情報であることを示す情報も表示部１３に表示するので、表示部１３の限られた画面内に、よりユーザにとって有益な情報を表示することができる。
【００８８】
本実施例において、上記関連情報の表示中に上記関連情報の参照等を行う場合、ユーザは、表示装置１０のリモコンの赤、青、緑、黄等色ボタンを押下する。
【００８９】
図３に示す例では、表示制御部１２は、３枚のカードを表示させており、各々のカードの縁部には異なる色を付す。この異なる色は、赤、青、緑、黄等であり、表示装置１０のリモコンの色ボタンの色と対応付いている。例えば、５０Ｂの真中のカードの縁部は赤であった場合、表示装置１０のリモコンの赤ボタンが押下されると、表示制御部１２は、図３の５０Ｃのような画面を表示させる。図３の５０Ｃは、「○○写真集」という本の購入についての詳細な情報を表示する画面である。
【００９０】
また、図３の５０Ｃのように上記関連情報の表示中に上記関連情報の参照等を行った場合においては、表示制御部１２は所定の時間の経過後に表示部１３の画面をＯＦＦにするという当初の操作をキャンセルする。
【００９１】
上記関連情報の表示中に上記関連情報の参照等を行わない場合、所定の時間の経過後に表示制御部１２は、図３の５０Ｄのように表示部１３の画面をＯＦＦにする。また、ユーザが再度表示部１３の画面表示をＯＦＦにする操作を行った場合、すぐさま上記関連情報の表示を終了する構成でもよい。
【００９２】
上記の構成によれば、ユーザが番組の視聴を終了したタイミングで関連情報を提供できるので、番組の視聴を阻害することなく関連情報を提供できる効果を奏する。
【００９３】
＜関連情報表示の例１−３＞
本例について図１、図３、図１９及び図２０に基づいて説明すれば、以下の通りである。
【００９４】
本例においては、ユーザによる反応のタイミングに応じて、表示装置が、関連情報に優先度を付与する構成例について説明する。なお便宜上、上記の例にて説明した部材と同じ機能を有する部材については、同じ符号を付記し、説明を省略する。
【００９５】
図１９は、本例に係る表示システム１ｃの機能ブロック図である。図１９に示す通り、表示システム１ｃは、図１に示す表示システム１に加えて、表示装置１０ｃが、優先度決定部１９を備える構成である。優先度決定部１９は、関連情報に対して優先度の付与を行う。
【００９６】
図２０は、ユーザが番組視聴を開始し、表示画面に関連情報が表示されるまでを示したシーケンス図である。以下、図２０のステップ番号ごとの説明を行う。
【００９７】
メタ情報配信装置２は、放送波による番組の放送中または放送後に番組ごとに当該番組の内容から抽出したメタ情報を時系列に沿って生成する。情報処理装置２０が備える受信部２５は上記メタ情報をメタ情報配信装置２から受信する。（Ｓ５０１）
関連情報生成部２２は上記メタ情報を参照し、当該番組に関連した関連情報を生成する。
【００９８】
また、関連情報生成部２２は、少なくとも各関連情報に対して、当該関連情報が、当該番組における何れの時刻の放送に対応するものであるかという情報を含ませる。
制御部２１は関連情報生成部２２が生成した上記関連情報を記憶部２３に格納する。（Ｓ５０２）
ユーザが所定の番組の視聴を行う場合、図３の５０Ａに示すように、表示制御部１２が表示部１３に当該番組の映像の表示を開始する。
【００９９】
本実施例において、ユーザが表示部１３に表示されている商品に興味を持った場合に、表示装置１０は、ユーザの反応を捉えることができる。一例として、表示装置１０のリモコンが「いいね」ボタンを備え、ユーザは当該「いいね」ボタンを押下することで、表示装置１０に対して、商品に興味を持っていることを伝えることができる。また、他の例として、ユーザが発声し、マイク３１がユーザの発声を集音することで、表示装置１０に対して、商品に興味を持っていることを伝えることができる。
【０１００】
図３の５０Ａに示す例のように、表示部１３に「○○写真集」という本の紹介が表示され、ユーザが「この本、面白いかも」と感じた場合、ユーザは表示装置１０のリモコンの「いいね」ボタンを押下することができる。
【０１０１】
タイミング特定部３０は、ユーザの反応に応じて反応タイミングを特定する。（Ｓ５０３）タイミング特定部３０は、例えば、ユーザによる表示装置１０のリモコンの「いいね」ボタン操作、マイク３１が集音したユーザの音声に応じて、ユーザが反応した反応タイミングを特定することができる。図３に示す例においては、１１：５０に「いいね」ボタンが押下されたので、タイミング特定部３０は、ユーザが反応した反応タイミングが１１：５０であると特定する。
【０１０２】
制御部１１は、タイミング特定部３０が特定した反応タイミングを記憶部１４に格納する。
【０１０３】
また、表示制御部１２は、タイミング特定部３０がユーザの反応を特定したことに応じて、「受け付けました」と表示部１３に表示させることができる。
【０１０４】
取得部３２は、ユーザの反応を示すユーザ反応情報を表示装置１０から取得する。（Ｓ５０４）ユーザ反応情報は、ユーザが反応した時刻を示す情報、およびその時刻にユーザが視聴していた番組を示す情報を含む。
【０１０５】
抽出部３３は、取得部３２が取得したユーザ反応情報に応じてユーザが反応した反応タイミングを特定するとともに、番組を特定し、特定した反応タイミング、および番組に応じて、記憶部２３に記憶された関連情報から、表示装置１０に出力すべき関連情報を抽出する。（Ｓ５０５）具体的には、抽出部３３は、時刻と番組とから、ユーザが反応した商品を特定し、当該商品に関連する関連情報を表示装置１０に出力すべき関連情報として記憶部２３に記憶された関連情報から抽出し、特定する。
【０１０６】
なお、抽出部３３は、１つのユーザ反応情報に対して複数の関連情報を抽出してもよい。例えば、抽出部３３が、タイミング特定部３０が特定した上記反応タイミングの前後の所定の時間幅に含まれる所定の時間に紐づけられた１又は複数の関連情報を抽出する構成でもよい。
【０１０７】
関連情報出力部２４は、抽出部３３が抽出した関連情報を含む関連情報を、表示装置１０に送信する。（Ｓ５０６）
関連情報取得部１５は上記関連情報を受信する。優先度決定部１９は、記憶部１４に格納された上記反応タイミングを参照して、上記関連情報に対して優先度を付与する。優先度決定部１９は、通常、上記特定した反応タイミングにより近いタイミングに紐づけられた関連情報に対してより高い優先度を付与する。また、優先度決定部１９は、通常、上記特定した反応タイミングと同じ時間だけ離れたタイミングに紐づけられた関連情報であっても、上記特定した反応タイミングに放送されていた番組又はシーンと同じ番組又はシーンに紐づけられた関連情報に対してより高い優先度を付与する。制御部１１は上記関連情報を記憶部１４に格納する。（Ｓ５１３）
次いでユーザが番組の視聴を終了し、表示装置１０のリモコンの電源ボタンを押下する等の表示部１３の画面表示をＯＦＦにする操作を行う。（Ｓ５０８）
表示制御部１２は、記憶部１４に格納された関連情報であって、上記反応タイミングに応じて定まる優先度が付与された関連情報を表示部１３に表示する。上記の構成によれば、当該関連情報における優先度により、ユーザに対する重要度を区分することができる。
【０１０８】
なお、表示制御部１２は、当該関連情報に付与された優先度に応じた表示態様で、上記関連情報を表示部１３に表示する。優先度に応じた表示態様の例としては、優先度が高い関連情報には、装飾した枠を付加する構成等が挙げられる。（Ｓ５１２）上記の構成によれば、例えば、より優先度の高い関連情報を装飾することで、ユーザが当該関連情報を認識しやすくなる効果を奏する。
【０１０９】
また、表示制御部１２は、表示部１３に一度に表示可能な関連情報の数よりも、表示候補である関連情報の数が多い場合に、上記優先度が高い関連情報を優先して表示部１３に表示する。表示制御部１２は、例えば、表示部１３に一度に表示可能な関連情報が３つであって、表示候補である関連情報が４つである場合においては、優先度が高い上位３つの関連情報を表示部１３に表示する。上記の構成によれば、表示部１３に一度に表示可能な関連情報の数よりも、表示候補である関連情報の数が多い場合においても、より好適な関連情報をユーザに対して提示することができる。なお、例えばユーザのリモコン操作によって、画面をスクロールすることにより、関連情報取得部が取得した関連情報を全て表示部１３に表示可能な構成でもよい。なお、関連情報取得部１５が取得した関連情報が１つも存在しない場合、表示制御部１２は、好適な関連情報が存在しない旨を表示部１３に表示してもよい。
【０１１０】
また、表示制御部１２は、タイミング特定部３０が特定した反応タイミングに応じて定まる関連情報を表示する場合、反応タイミングに応じて定まる関連情報であることを示す情報を表示する。
【０１１１】
本実施例においては、ユーザが反応した商品に関する関連情報であることを示す情報も表示部１３に表示するので、表示部１３の限られた画面内に、よりユーザにとって有益な情報を表示することができる。
【０１１２】
本実施例において、上記関連情報の表示中に上記関連情報の参照等を行う場合、ユーザは、表示装置１０のリモコンの赤、青、緑、黄等色ボタンを押下する。
【０１１３】
図３に示す例では、表示制御部１２は、３枚のカードを表示させており、各々のカードの縁部には異なる色を付す。この異なる色は、赤、青、緑、黄等であり、表示装置１０のリモコンの色ボタンの色と対応付いている。例えば、５０Ｂの真中のカードの縁部は赤であった場合、表示装置１０のリモコンの赤ボタンが押下されると、表示制御部１２は、図３の５０Ｃのような画面を表示させる。図３の５０Ｃは、「○○写真集」という本の購入についての詳細な情報を表示する画面である。
【０１１４】
また、図３の５０Ｃのように上記関連情報の表示中に上記関連情報の参照等を行った場合においては、表示制御部１２は所定の時間の経過後に表示部１３の画面をＯＦＦにするという当初の操作をキャンセルする。
【０１１５】
上記関連情報の表示中に上記関連情報の参照等を行わない場合、所定の時間の経過後に表示制御部１２は、図３の５０Ｄのように表示部１３の画面をＯＦＦにする。また、ユーザが再度表示部１３の画面表示をＯＦＦにする操作を行った場合、すぐさま上記関連情報の表示を終了する構成でもよい。
【０１１６】
上記の構成によれば、ユーザが番組の視聴を終了したタイミングで関連情報を提供できるので、番組の視聴を阻害することなく関連情報を提供できる効果を奏する。
【０１１７】
なお、以下の説明においては、タイミング特定部３０による反応タイミングの特定、抽出部３３による反応タイミングに応じて定まる関連情報の抽出、関連情報生成部２２又は優先度決定部１９による関連情報に対する優先度の付与、および表示制御部１２による反応タイミング又は優先度に応じて定まる関連情報の優先的な表示又は優先度に応じた態様での表示についての説明を場合により省略する。
【０１１８】
また、以下の各例における関連情報に優先度を付与する場合において、情報処理装置２０等が備える関連情報生成部２２が、関連情報に優先度を付与する構成と、表示装置１０ｃ等が優先度決定部１９を備え、優先度決定部１９が、関連情報に優先度を付与する構成とは、本例において上述したように、相互に代替可能である。
【０１１９】
＜関連情報表示の表示タイミング例１−１＞
本例について、図１及び図６〜図７に基づいて説明すれば、以下の通りである。
【０１２０】
本例においては、画面表示の終了に起因して関連情報を表示する表示装置の構成例について説明する。
【０１２１】
図６は本例における関連情報表示の流れを示す図である。
【０１２２】
図７は図６で示す処理において、ユーザが番組視聴を開始し、表示画面に関連情報が表示されるまでを示したシーケンス図であり、以下画面に関連情報が表示されるまで、図４のステップ番号ごとの説明を行う。
【０１２３】
メタ情報配信装置２は、放送波による番組の放送中又は放送後に当該番組の内容から抽出したメタ情報を時系列に沿って生成する。情報処理装置２０が備える受信部２５は上記メタ情報をメタ情報配信装置２から受信する。（Ｓ１０１）
関連情報生成部２２は上記メタ情報を参照し、当該番組に関連した関連情報を生成する。制御部２１は関連情報生成部２２が生成した上記関連情報を記憶部２３に格納する。（Ｓ１０２）
ユーザが所定の番組の視聴を行う場合、図６の８０Ａに示すように、表示制御部１２が表示部１３に当該番組の映像の表示を開始し、制御部１１は当該番組の視聴履歴を記憶部１４に保存する。（Ｓ１０３）なお、メタ情報（後メタ情報）は当該番組放送よりも後に生成されるので、例えばユーザが当該番組放送を開始した時間から上記番組の視聴を開始した場合においては、ステップＳ１０３はステップＳ１０１よりも先に行われる。
【０１２４】
関連情報出力部２４は記憶部２３に格納されている上記関連情報を、表示装置１０に送信する。（Ｓ１０４）
関連情報取得部１５は上記関連情報を受信し、制御部１１は上記関連情報を記憶部１４に格納する。（Ｓ１０５）
次いでユーザが番組の視聴を終了し、表示部１３の画面表示をＯＦＦにすることによってコンテンツ（番組）の表示を終了する操作を行う。（Ｓ１０６）
制御部１１はユーザによる画面表示の終了操作に起因して、記憶部１４に格納されている視聴履歴を参照し、上記関連情報がユーザが少なくとも一部を視聴した番組に関する関連情報であるか否かの判定を行う。（Ｓ１０７）
表示制御部１２は上記判定に基づき、図３の８０Ｂに示すように、記憶部１４に格納されている上記関連情報のうち、ユーザが少なくとも一部を視聴した番組の所定の関連情報を表示部１３に表示する。（Ｓ１０８）
上記関連情報の表示中に上記関連情報の参照等を行わない場合、所定の時間の経過後に表示制御部１２は、図６の８０Ｄのように表示部１３の画面をＯＦＦにする。また、ユーザが再度表示部１３の画面表示をＯＦＦにする操作を行った場合、すぐさま上記関連情報の表示を終了する構成でもよい。図６の８０Ｃのように上記関連情報の表示中に上記関連情報の参照等を行った場合においては、表示制御部１２は所定の時間の経過後に表示部１３の画面をＯＦＦにするという当所の操作をキャンセルする。
【０１２５】
ステップＳ１０７及びステップＳ１０８において上述したように、表示制御部１２は、画面表示の終了に起因して関連情報を表示部１３に表示させる。
【０１２６】
上記の構成によれば、ユーザが番組の視聴を終了したタイミングで関連情報を提供できるので、番組の視聴を阻害することなく関連情報を提供できる効果を奏する。
【０１２７】
＜関連情報表示の表示タイミング例１−２＞
本例について、図６、図８及び図９に基づいて説明すれば、以下の通りである。
【０１２８】
本例においては、表示装置１０ａに表示する関連情報を情報処理装置２０ａにより決定する構成例について説明する。
【０１２９】
以下、図８に基づいて本例に係る表示システム１ａの構成を説明する。
【０１３０】
なお便宜上、上記の例にて説明した部材と同じ機能を有する部材については、同じ符号を付記し、説明を省略する。
【０１３１】
図８は本例に係る表示システム１ａの機能ブロック図である。表示装置１０ａは図１で示す構成に加えて送信部１６を備え、情報処理装置２０ａは受信部２５ａが終了通知取得部２６を備える。
【０１３２】
送信部１６は情報処理装置２０ａの受信部２５ａに対して番組の視聴履歴及び表示装置１０ａの表示部１３の画面をＯＦＦにする操作を行った旨の信号を送信する。終了通知取得部２６は上記の信号を受信し、当該表示装置１０ａの表示部１３の画面をＯＦＦにする操作が行われた旨の判定を行う。
【０１３３】
次に本例における表示システム１ａの処理の流れについて図６、図８及び図９に基づき説明する。
【０１３４】
図６は本例における関連情報表示の流れを示す図である。
【０１３５】
図９は図６で示す処理において、ユーザが番組視聴を開始し、表示画面に関連情報が表示されるまでを示したシーケンス図であり、以下画面に関連情報が表示されるまで、図９のステップ番号ごとの説明を行う。
【０１３６】
ステップＳ１０３までの処理は関連情報表示の表示タイミング例１−１と同様である。
【０１３７】
次いでユーザが番組の視聴を終了し、表示装置１０ａの表示部１３の画面表示をＯＦＦにすることによってコンテンツ（番組）の表示を終了する操作を行う。（Ｓ１０６）
送信部はユーザによる画面表示の終了操作に起因して、情報処理装置２０ａに対して、番組の視聴履歴及び表示部１３の画面をＯＦＦにする操作を行った旨の信号を送信する。（Ｓ１０９）
情報処理装置２０ａの受信部２５ａは上記信号を受信する。（Ｓ１１０）
関連情報出力部２４は上記視聴履歴に基づき、記憶部２３が保持している関連情報のうち、上記ユーザが少なくとも一部を視聴した番組に関する関連情報のみを表示装置１０ａに送信する。（Ｓ２０４）
関連情報取得部１５は関連情報出力部２４から送信された上記関連情報を取得し、制御部１１は上記関連情報を記憶部１４に格納する。（Ｓ２０５）
表示制御部１２は、図６の８０Ｂに示すように、上記関連情報を表示部１３に表示する。（Ｓ１０８）
上記関連情報の表示中に上記関連情報の参照等を行わない場合、所定の時間の経過後に表示制御部１２は、図６の８０Ｄのように表示部１３の画面をＯＦＦにする。また、ユーザが再度表示部１３の画面表示をＯＦＦにする操作を行った場合、すぐさま上記関連情報の表示を終了する構成でもよい。図６の８０Ｃのように上記関連情報の表示中に上記関連情報の参照等を行った場合においては、表示制御部１２は所定の時間の経過後に表示部１３の画面をＯＦＦにするという当所の操作をキャンセルする。
【０１３８】
上記の構成においても関連情報表示の表示タイミング例１−１と同様な効果を奏する。
【０１３９】
＜関連情報表示の表示タイミング例１−３＞
本例について、図６、図８及び図１０に基づいて説明すれば、以下の通りである。
【０１４０】
本例においては、表示装置１０に表示する関連情報を情報処理装置２０により決定する構成例について説明する。
【０１４１】
関連情報表示の表示タイミング例１−２ではユーザが画面表示をＯＦＦにする操作を行ってから表示装置１０ａから情報処理装置２０ａに視聴履歴を送信したが、本例では所定の時間ごとに、あるいはチャンネルを変更するごとに視聴履歴を情報処理装置２０に送信する構成について示す。なお、本例においても関連情報表示の表示タイミング例１−１の場合と同様に図１に示す構成を使用する。
【０１４２】
本例における表示システム１の処理の流れについて図６及び図１０に基づき説明する。図６は本例における関連情報表示の流れを示す図である。
【０１４３】
図１０は図６で示す処理において、ユーザが番組視聴を開始し、表示画面に関連情報が表示されるまでを示したシーケンス図であり、以下画面に関連情報が表示されるまで、図１０のステップ番号ごとの説明を行う。
【０１４４】
ステップＳ１０３までの処理は関連情報表示の表示タイミング例１−１と同様である。
【０１４５】
送信部１６は記憶部１４に格納されている上記視聴履歴を情報処理装置２０に送信する。（Ｓ１１１）
情報処理装置２０の受信部２５は上記視聴履歴を受信する（Ｓ１１２）
制御部２１は上記視聴履歴に基づき、記憶部２３に格納されている関連情報が当該ユーザが少なくとも一部を視聴した番組に関する関連情報であるか否かの判定を行う。
【０１４６】
関連情報出力部２４は上記判定に基づき、記憶部２３が保持している関連情報のうち、上記ユーザが少なくとも一部を視聴した番組に関する関連情報のみを表示装置１０に送信する。（Ｓ３０４）
表示装置１０の関連情報取得部１５は上記関連情報を取得し、制御部１１は上記関連情報を記憶部１４に格納する。（Ｓ３０５）
ユーザが所定の番組の視聴を終了するまで、所定の時間ごとに、あるいはチャンネルを変更するごとにステップＳ１１１からステップＳ３０５までの工程を繰り返す。
【０１４７】
次いでユーザが番組の視聴を終了し、表示装置１０ａの表示部１３の画面表示をＯＦＦにすることによってコンテンツ（番組）の表示を終了する操作を行う。（Ｓ１０６）
表示制御部１２は、ステップＳ１０６におけるユーザによるコンテンツ表示の終了操作に起因して、記憶部１４に格納されているユーザが少なくとも一部を視聴した番組に関する上記関連情報を表示部１３に表示する。（Ｓ１０８）
上記関連情報の表示中に上記関連情報の参照等を行わない場合、所定の時間の経過後に表示制御部１２は、図６の８０Ｄのように表示部１３の画面をＯＦＦにする。また、ユーザが再度表示部１３の画面表示をＯＦＦにする操作を行った場合、すぐさま上記関連情報の表示を終了する構成でもよい。図６の８０Ｃのように上記関連情報の表示中に上記関連情報の参照等を行った場合においては、表示制御部１２は所定の時間の経過後に表示部１３の画面をＯＦＦにするという当所の操作をキャンセルする。
【０１４８】
上記の構成においても関連情報表示の表示タイミング例１−１と同様な効果を奏する。
【０１４９】
＜関連情報表示の表示タイミング例１に係る付記事項＞
上記の各例では、ユーザによる画面表示の終了操作に起因して、表示画面に関連情報を表示したが、本願発明は上記の構成に限定されない。例えば入力モードを切り替えること等によって視聴中のコンテンツ表示を終了する操作、即ち視聴するコンテンツを切り替える操作に起因して、表示画面に関連情報を表示する構成でも構わない。
【０１５０】
＜関連情報表示の表示タイミング例２＞
本例について、図１及び図１１に基づいて説明すれば、以下の通りである。
【０１５１】
本例においては、関連情報を取得したことに起因して、上記関連情報又は上記関連情報を取得した旨の情報を提供する表示装置１０の構成例について説明する。
【０１５２】
本例においても関連情報表示の表示タイミング例１−１の場合と同様に図１に示す構成を使用する。
【０１５３】
次に本例における表示システム１の処理の流れについて図１及び図１１に基づき説明する。
【０１５４】
図１１は本例における関連情報表示の流れを示す図である。
【０１５５】
メタ情報配信装置２は放送波による番組の放送中または放送後に当該番組の内容から抽出したメタ情報を時系列に沿って生成する。情報処理装置２０が備える受信部２５は上記メタ情報をメタ情報配信装置２から受信する。関連情報生成部２２は上記メタ情報を参照し、当該番組に関連した関連情報を生成する。制御部２１は関連情報生成部２２が生成した上記関連情報を記憶部２３に格納する。
【０１５６】
表示装置１０の主電源が付いている場合に、関連情報取得部１５は情報処理装置２０の関連情報出力部２４から随時上記関連情報を取得する。ユーザが所定の番組の視聴を行う場合、表示制御部１２は、図１１の８１Ａに示すように表示部１３に当該番組の映像の表示を開始し、制御部は当該番組の視聴履歴を記憶部１４に保存する。制御部１１は記憶部１４に保存された上記視聴履歴を参照し、情報処理装置２０から取得した関連情報がユーザが少なくとも一部を視聴した番組に関する関連情報であるか否かの判定を行う。上記関連情報がユーザが少なくとも一部を視聴した番組に関する関連情報であった場合には、上記判定に基づき、表示制御部１２は上記関連情報、または図１１の８１Ｂのように上記関連情報を取得した旨の情報を表示部１３に表示する。上記関連情報または上記関連情報を取得した旨の情報を表示する場合には通常、表示部１３の一部、例えば画面の隅に上記情報を表示する。次いでユーザがリモコン等で上記情報を選択した場合には、図１１の８１Ｃ及び８１Ｄに示すように、上記関連情報を表示部１３の画面全体に表示する。
【０１５７】
即ち、表示制御部１２は、関連情報を取得したことに起因して、上記関連情報又は上記関連情報を取得した旨の情報を表示部１３に表示させる。
【０１５８】
上記の構成によれば、番組の視聴を極力阻害せずに、ユーザが少し前に観ていた番組の関連情報を提供できる効果を奏する。
【０１５９】
＜関連情報表示の表示タイミング例２に係る付記事項＞
本例においても表示装置１０が視聴履歴を送信する送信部１６を備え、情報処理装置２０において、当該ユーザが少なくとも一部を視聴した番組に関する関連情報のみ関連情報出力部２４から関連情報取得部１５へ送信されるという構成であっても構わない。
【０１６０】
また、関連情報取得部１５が上記関連情報を取得して即時に表示部１３に表示せずとも、番組毎のデータがそろうまで、一定の時間が経過するまで、一定の時刻になるまで、表示部に表示できる最大数の情報がそろうまで、又はコマーシャルメッセージの開始まで上記表示の開始を待機するという構成でもよい。また、関連情報を一定の時間が経過する毎に表示する構成でもよい。
【０１６１】
また、画面への表示だけでなく、ＬＥＤでの情報取得通知や音声によるアナウンス、
リモコンのバイブレーション機能などを、ユーザへの通知手段としてもよい。
【０１６２】
＜関連情報表示の表示タイミング例３＞
本例について、図１及び図１２に基づいて説明すれば、以下の通りである。
【０１６３】
本例においては、表示装置１０の主電源は付いているが表示画面は表示されていない場合に関連情報を取得したことに起因して画面を表示し、上記関連情報を表示する表示装置１０の構成例について説明する。なお、上記の（表示）画面について補足すると、上記画面が表示されていない状態とは、画面が表示装置１０の主電源が付いていない場合と同様の状態であり、画面が表示されている状態とは、画面に動画像が表示されている状態又は画面表示に用いるバックライト又は表示素子自体が点灯又は発光している状態を意味する。
【０１６４】
本例においても関連情報表示の表示タイミング例１−１の場合と同様に図１に示す構成を使用する。
【０１６５】
次に本例における表示システム１の処理の流れについて図１及び図１２に基づき説明する。
【０１６６】
図１２は本例における関連情報表示の流れを示す図である。
【０１６７】
メタ情報配信装置２は放送波による番組の放送中または放送後に当該番組の内容から抽出したメタ情報を時系列に沿って生成する。情報処理装置２０が備える受信部２５は上記メタ情報をメタ情報配信装置２から受信する。関連情報生成部２２は上記メタ情報を参照し、当該番組に関連した関連情報を生成する。制御部２１は関連情報生成部２２が生成した上記関連情報を記憶部２３に格納する。
【０１６８】
ユーザが所定の番組の視聴を行う場合、表示制御部１２は、図１２の８２Ａに示すように、表示部１３に当該番組の映像の表示を開始し、制御部１１は当該番組の視聴履歴を記憶部１４に保存する。次いでユーザが番組の視聴を終了し、表示部１３の画面をＯＦＦにする操作を行う。上記操作後においても記憶部１４に保存された視聴履歴は消去されない。
【０１６９】
表示装置１０においては、表示部１３に画面が表示されておらずとも、表示装置１０の主電源が付いていれば関連情報取得部１５は情報処理装置２０の関連情報出力部２４から随時上記関連情報を取得する。制御部は記憶部１４に格納されている当該表示装置１０による視聴履歴を参照する。上記関連情報がユーザが少なくとも一部を視聴した番組に関する関連情報であった場合には、表示制御部１２は、図１２の８３Ｃのように、表示部１３の画面表示をＯＮにし、上記関連情報を表示部１３に表示する。
【０１７０】
即ち、表示制御部１２は、上記関連情報を取得したことに起因して画面を表示し、上記関連情報を表示部１３に表示させる。
【０１７１】
上記の構成によれば、関連情報の取得に起因して自動的に表示部１３の画面が表示し、関連情報を表示するのでユーザが表示画面の画面を表示していない場合においてもユーザに即時性の高い情報を提供できる効果を奏する。
【０１７２】
＜関連情報表示の表示タイミング例３に係る付記事項＞
本例においても表示装置１０が視聴履歴を送信する送信部１６を備え、情報処理装置２０において、当該ユーザが少なくとも一部を視聴した番組に関する関連情報のみ関連情報出力部２４から関連情報取得部１５へ送信されるという構成であっても構わない。
【０１７３】
表示制御部１２がユーザが少なくとも一部を視聴した番組に関する関連情報を表示部１３に表示するのは、上記関連情報１件ごとに限定されない。例えば表示部１３に表示できる最大数の関連情報が記憶部１４に蓄積するごとに、表示制御部１２が上記関連情報を表示部１３に表示する構成であっても構わない。
【０１７４】
また、関連情報取得部１５が上記関連情報を取得して即時に表示部１３に表示せずとも、番組毎のデータがそろうまで、一定の時間が経過するまで、一定の時刻になるまで、表示部に表示できる最大数の情報がそろうまで、又はコマーシャルメッセージの開始まで上記表示の開始を待機するという構成でもよい。また、関連情報を一定の時間が経過する毎に表示する構成でもよい。
【０１７５】
また、画面を起動するだけでなく、ＬＥＤでの情報取得通知や音声によるアナウンス、
リモコンのバイブレーション機能などを、ユーザへの通知手段としてもよい。
【０１７６】
＜関連情報表示の表示タイミング例４−１＞
本例について、図１、図１３及び図１４に基づいて説明すれば、以下の通りである。
【０１７７】
本例においては、画面表示の開始に起因して関連情報を表示する表示装置１０の構成例について説明する。なお上記の画面表示の開始とは、表示画面上における動画像表示の開始又は画面表示に用いるバックライト又は表示素子自体の点灯又は発光の開始を意味する。
【０１７８】
本例においても図１に示す構成を使用する。
【０１７９】
次に本例における表示システム１の処理の流れについて図１、図１３及び図１４に基づき説明する。
【０１８０】
図１３は本例における関連情報表示の流れを示す図である。
【０１８１】
図１４は図１３で示す処理において、ユーザが番組視聴を開始し、表示画面に関連情報が表示されるまでを示したシーケンス図であり、以下画面に関連情報が表示されるまで、図１４のステップ番号ごとの説明を行う。
【０１８２】
ステップＳ１０３までの処理は関連情報表示の表示タイミング例１−１と同様である。
【０１８３】
ユーザが番組の視聴を開始して以降、情報処理装置２０の関連情報出力部２４から表示装置１０の関連情報取得部１５に随時、各種番組の関連情報が送信される。（Ｓ１０４）
制御部１１は関連情報取得部１５が取得した上記関連情報を記憶部１４に格納する。（Ｓ１０５）
次いでユーザが番組の視聴を終了し、表示部１３の画面表示をＯＦＦにする操作を行う。上記操作後においても記憶部１４に保存された視聴履歴は消去されない。（Ｓ１０６）
表示装置１０の主電源が付いていれば表示部１３の画面表示がＯＦＦであっても、関連情報取得部１５は関連情報出力部２４から各種番組の関連情報を随時取得する。
【０１８４】
再度ユーザが所定の番組の視聴を行う場合、表示制御部１２による表示部１３の画面表示をＯＮにする。（Ｓ１１３）
上記画面表示の開始に起因して制御部１１は記憶部１４に格納されている視聴履歴を参照し、上記関連情報がユーザが少なくとも一部を視聴した番組に関する関連情報であるか否かの判定を行う。（Ｓ１０７）
表示制御部１２は、図１３の８３Ｃに示すように、上記判定に基づき記憶部１４に格納されている上記関連情報のうち、ユーザが少なくとも一部を視聴した番組の所定の関連情報を表示部１３に表示する。（Ｓ１０８）
上記関連情報の表示中に上記関連情報の参照を行わない場合、所定の時間の経過後に表示制御部１２は上記番組映像を表示部１３に表示する。
【０１８５】
ステップＳ１０７及びステップＳ１０８において上述したように、表示制御部１２は、画面表示の開始に起因して関連情報を表示部１３に表示させる。
【０１８６】
上記の構成によれば、表示装置１０を使用する場合にユーザが前回までに視聴していた番組の関連情報をすぐさま表示することができる効果を奏する。また、時間帯や曜日に応じた関連情報を表示することができる効果を奏する。
【０１８７】
＜関連情報表示の表示タイミング例４−２＞
本例について、図１３、図１５及び図１６に基づいて説明すれば、以下の通りである。
【０１８８】
本例においては、表示装置１０ａに表示する関連情報を情報処理装置２０ｂにより決定する例の構成例について説明する。
【０１８９】
図１５に基づいて本例に係る表示システム１ｂの構成を説明する。
【０１９０】
なお便宜上、上記の例にて説明した部材と同じ機能を有する部材については、同じ符号を付記し、説明を省略する。
【０１９１】
図１５は本例に係る表示システム１ｂの機能ブロック図である。表示装置１０ａは図１で示す構成に加えて送信部１６を備え、情報処理装置２０ｂは受信部２５ｂが開始通知取得部２７を備える。
【０１９２】
送信部１６は情報処理装置２０ｂの受信部２５ｂに対して番組の視聴履歴及び表示装置１０ａの表示部１３の画面をＯＮにする操作を行った旨の信号を送信する。開始通知取得部２７は上記の信号を受信し、当該表示装置１０ａの表示部１３の画面をＯＮにする操作が行われた旨の判定を行う。
【０１９３】
次に本例における表示システム１ｂの処理の流れについて図１３、図１５及び図１６に基づき説明する。
【０１９４】
図１６は本例における関連情報表示の流れを示す図である。
【０１９５】
図１６は図１３で示す処理において、ユーザが番組視聴を開始し、表示画面に関連情報が表示されるまでを示したシーケンス図であり、以下画面に関連情報が表示されるまで、図１６のステップ番号ごとの説明を行う。
【０１９６】
ステップＳ１１２までの処理は関連情報表示の表示タイミング例１−３と同様である。
【０１９７】
次いでユーザが番組の視聴を終了し、表示部１３の画面表示をＯＦＦにする操作を行う。（Ｓ１０６）上記操作後においても記憶部１４に保存された視聴履歴は消去されない。
【０１９８】
再度ユーザが所定の番組の視聴を行う場合、表示制御部１２による表示部１３の画面表示をＯＮにする。（Ｓ１１３）
画面表示の開始に起因して、送信部１６は情報処理装置２０ｂに対して、ユーザが番組の表示部１３の画面をＯＮにする操作を行った旨の信号を送信する。（Ｓ１１４）
情報処理装置２０ｂの開始通知取得部２７は上記信号を受信する。（Ｓ１１５）
関連情報出力部２４は上記視聴履歴に基づき、記憶部２３が保持している関連情報のうち、上記ユーザが少なくとも一部を視聴した番組に関する関連情報のみを表示装置１０ａに送信する。（Ｓ２０４）
関連情報取得部１５は関連情報出力部２４から送信された上記関連情報を取得し、制御部１１は上記関連情報を記憶部１４に格納する。（Ｓ２０５）
表示制御部１２は記憶部１４に格納されているユーザが少なくとも一部を視聴した番組に関する上記関連情報を表示部１３に表示する。（Ｓ１０８）
上記の構成においても関連情報表示の表示タイミング例４−１と同様な効果を奏する。
【０１９９】
＜関連情報表示の表示タイミング例４−３＞
本例について、図１、図１３及び図１７に基づき説明すれば、以下の通りである。
【０２００】
本例においては、表示装置１０に表示する関連情報を情報処理装置２０により決定する例の構成例について説明する。
【０２０１】
本例においても図１に示す構成を使用する。
【０２０２】
次に本例における表示システム１の処理の流れについて図１、図１３及び図１７に基づき説明する。
【０２０３】
図１３は本例における関連情報表示の流れを示す図である。
【０２０４】
図１７は図１３で示す処理において、ユーザが番組視聴を開始し、表示画面に関連情報が表示されるまでを示したシーケンス図であり、以下画面に関連情報が表示されるまで、図１７のステップ番号ごとの説明を行う。
【０２０５】
ステップＳ３０５までの処理は関連情報表示の表示タイミング例１−１と同様である。
【０２０６】
ユーザが所定の番組の視聴を終了するまで、所定の時間ごとに、あるいはチャンネルを変更するごとにステップＳ１１１からステップＳ３０５までの工程を繰り返す。
【０２０７】
次いでユーザが番組の視聴を終了し、表示部１３の画面表示をＯＦＦにする操作を行う。上記操作後においても記憶部１４に保存された視聴履歴は消去されない。（Ｓ１０６）
表示装置１０の電主電源が付いていれば表示部１３の画面表示がＯＦＦであっても、関連情報取得部１５は関連情報出力部２４から各種番組の関連情報を随時取得する。
【０２０８】
再度ユーザが所定の番組の視聴を行う場合、表示制御部１２による表示部１３の画面表示をＯＮにする。（Ｓ１１３）
画面表示の開始に起因して、表示制御部１２は記憶部１４に格納されているユーザが少なくとも一部を視聴した番組に関する上記関連情報を表示部１３に表示する。（Ｓ１０８）
上記の構成においても関連情報表示の表示タイミング例４−１と同様な効果を奏する。
【０２０９】
＜関連情報表示の表示タイミング例５＞
本例について、図１に基づいて説明すれば、以下の通りである。
【０２１０】
本例においては、ユーザの任意の表示タイミングで関連情報を表示する表示装置１０の構成例について説明する。
【０２１１】
メタ情報配信装置２は放送波による番組の放送中または放送後に当該番組の内容から抽出したメタ情報を時系列に沿って生成する。情報処理装置２０が備える受信部２５は上記メタ情報をメタ情報配信装置２から受信する。関連情報生成部２２は上記メタ情報を参照し、当該番組に関連した関連情報を生成する。制御部２１は関連情報生成部２２が生成した上記関連情報を記憶部２３に格納する。
【０２１２】
ユーザが所定の番組の視聴を行う場合、表示制御部１２が表示部１３に当該番組の映像の表示を開始し、制御部１１は当該番組の視聴履歴を記憶部１４に保存する。関連情報出力部２４は記憶部２３に格納されている上記関連情報を、関連情報取得部１５に送信する。制御部１１は関連情報取得部１５が取得した上記関連情報を記憶部１４に格納する。
【０２１３】
ユーザが任意の表示タイミングで例えばリモコンを使用し、上記関連情報を参照したい旨の信号を当該表示装置１０ｃに送信する。ユーザ信号取得部が上記信号を取得すると、制御部１１は記憶部１４に格納されている視聴履歴と上記関連情報を参照し、上記関連情報がユーザが少なくとも一部を視聴した番組に関した関連情報であるか否かの判定を行う。表示制御部１２はユーザが少なくとも一部を視聴した上記関連情報のみを表示部１３に表示する。所定の時間の経過により、あるいは例えばリモコンにより、ユーザ信号取得部１７に対して上記関連情報を終了させる旨の信号を送信することによって表示制御部１２は表示部１３への上記関連情報の表示を終了し、元の番組映像の表示に戻る。
【０２１４】
上記の構成によれば、表示装置１０ｃが受信して蓄積した関連情報を任意の表示タイミングで確認することができる。
【０２１５】
＜表示タイミング例５に係る付記事項＞
本例においても表示装置１０が視聴履歴を送信する送信部１６を備え、情報処理装置２０において、当該ユーザが少なくとも一部を視聴した番組に関する関連情報のみ関連情報出力部２４から関連情報取得部１５へ送信されるという構成であっても構わない。
【０２１６】
本例における関連情報の表示に関して、以前ユーザが閲覧したことのある関連情報を表示するモードを搭載する構成でもよい。
【０２１７】
なお、表示装置において、ユーザが興味を持っている商品または場所の関連情報を抽出してもよい。すなわち、表示装置の制御部は、ユーザ信号取得部が商品またはスポットの関連情報を参照したい旨の信号を取得すると、「いいね」ボタンが押下された商品またはスポットを特定するための情報、例えばタイムスタンプおよび番組の情報を記憶部に保存する。そして、表示装置の制御部は、記憶部に格納されているユーザが「いいね」をした商品または場所を特定するための情報を参照して、記憶部に格納されている関連情報から、ユーザが参照を希望する関連情報を抽出してもよい。
【０２１８】
また、情報処置装置が、送信部を備えた複数のテレビジョン受像機のそれぞれからユーザが「いいね」をした商品またはスポットを特定する情報を受信し、「いいね」の数が多い商品またはスポットに関する関連情報を、複数のテレビジョン受像機のそれぞれに送信する構成であってもよい。
【０２１９】
＜関連情報の端末表示例＞
本例について、図１、図２１、及び図２２に基づいて説明すれば、以下の通りである。
【０２２０】
本例においては、表示装置が取得した関連情報をスマートフォン等の端末装置に送信する構成について説明する。なお便宜上、上記の例にて説明した部材と同じ機能を有する部材については、同じ符号を付記し、説明を省略する。
【０２２１】
図２１は、本例に係る表示システム１ｄ及び携帯端末装置５０の機能ブロック図である。図２１に示す通り、表示システム１ｄは、図１に示す表示システム１に加えて、表示装置１０ｄが、関連情報送信部１８を備える構成である。関連情報送信部１８は、外部の装置に対して、関連情報のデータを送信する。また、制御部１１は、携帯端末装置５０に関連情報又は関連情報を取得した旨の情報を表示させる遠隔報知部としても機能する。
【０２２２】
また、携帯端末装置５０は、表示制御部５２、関連情報取得部５３、及び表示部５４を備えている。表示制御部５２は、表示部５４における画面表示に係る処理を行う。関連情報取得部５３は、関連情報の取得を行う。表示部５４は、画像、テキスト、又はオブジェクト等を表示する表示パネルである。
【０２２３】
関連情報取得部１５が関連情報を情報処理装置から受信し、制御部１１が、上記関連情報を記憶部１４に格納するステップＳ５０７までの処理においては、＜関連情報表示の例１−２＞における処理と同様である。以下、同ステップＳ５０７より後の処理について説明する。
【０２２４】
制御部（遠隔報知部）１１は、記憶部１４に格納されている関連情報を関連情報送信部１８から携帯端末装置５０に送信する。なお、制御部１１が、記憶部１４に番組の視聴履歴データを保存し、上記視聴履歴データを参照することにより、記憶部１４に格納されている関連情報のうち、ユーザが少なくとも一部を視聴した番組の所定の関連情報のみを関連情報送信部１８から携帯端末装置５０に送信する構成でもよい。
【０２２５】
携帯端末装置５０の関連情報取得部５３は上記関連情報を受信する。
【０２２６】
図２２は本例における関連情報表示の流れを示す図である。
【０２２７】
携帯端末装置５０の表示制御部５２は、図２２の９０Ａに示すように、表示部５４に関連情報を受信した旨を表示する。
【０２２８】
情報処理装置２０から携帯端末装置５０に送信される上記関連情報は、プッシュメールの形態で送信されてもよい。例えば、携帯端末装置５０には、情報処理装置２０から受信するプッシュメールを開く専用のアプリケーションがインストールされており、ユーザのプッシュメールを開く操作に応じて、アプリケーションが起動し、上記関連情報が表示される構成であってもよい。また、携帯端末装置５０で、情報処理装置２０から受信したプッシュメールに含まれるＵＲＬをウェブブラウザで開くことで、上記関連情報が表示される構成であってもよい。
【０２２９】
携帯端末装置５０に対して、ユーザが関連情報を参照する操作を行うと、図２２の９０Ｂ，９０Ｃに示すように、ユーザ操作に応じた表示が行われる。上述の処理は、制御部（遠隔報知部）１１が、関連情報又は関連情報を取得した旨の情報を携帯端末装置５０に表示させると言い換えることもできる。また、表示制御部５２は、図２２の９０Ｂに示すような関連情報の一覧画面において、当該関連情報に付与された優先度に応じた態様で当該関連情報を表示してもよい。優先度に応じた表示態様の例としては、優先度が高い関連情報には、装飾した枠を付加する構成等が挙げられる。
【０２３０】
図２２に示すように、関連情報取得部１５が上記関連情報を受信した時には、表示部１３には既に別のシーンまたは別の番組が表示されているため、表示部１３にメタ情報を表示すると、番組の視聴を阻害することとなる。一方で、上記の構成によれば、関連情報を携帯端末装置５０に表示して提供できるので、番組の視聴を阻害することなく関連情報を提供できる効果を奏する。
【０２３１】
＜関連情報の報知例＞
本例について、図２３及び図２４に基づいて説明すれば、以下の通りである。
【０２３２】
本例においては、表示装置が取得した関連情報を所定の電気機器に送信する構成について説明する。なお便宜上、上記の例にて説明した部材と同じ機能を有する部材については、同じ符号を付記し、説明を省略する。
【０２３３】
図２３は、本例に係る表示システム１ｄ及び電気機器の機能ブロック図である。図２３に示す通り、電気機器６０は、報知制御部６２、関連情報取得部６３、及び報知部６４を備えている。また、制御部１１は、電気機器６０に関連情報又は関連情報を取得した旨の情報を表示させる遠隔報知部としても機能する。
【０２３４】
関連情報取得部６３は、表示装置１０から関連情報送信部１８を介して送信される関連情報の取得を行う。報知制御部６２は、報知部６４を制御する。報知制御部６２は、取得した関連情報を報知部６４に報知させる場合において、報知に関する制御を行う。報知部６４は、関連情報又は関連情報を取得した旨を報知する。
【０２３５】
関連情報取得部１５が関連情報を情報処理装置から受信し、制御部１１が、上記関連情報を記憶部１４に格納するステップＳ５０７までの処理においては、＜関連情報表示の例１−２＞における処理と同様である。以下、同ステップＳ５０７より後の処理について説明する。
【０２３６】
制御部（遠隔報知部）１１は、記憶部１４に格納されている関連情報を関連情報送信部１８から電気機器６０に送信する。なお、制御部１１が、記憶部１４に番組の視聴履歴データを保存し、上記視聴履歴データを参照することにより、記憶部１４に格納されている関連情報のうち、ユーザが少なくとも一部を視聴した番組の所定の関連情報のみを関連情報送信部１８から電気機器６０に送信する構成でもよい。
【０２３７】
電気機器６０の関連情報取得部６３は上記関連情報を受信する。
【０２３８】
図２４は本例における関連情報表示の流れを示す図である。
【０２３９】
電気機器６０の報知制御部６２は、図２４に示すように、報知部６４に関連情報を受信した旨を音声（発話）により報知させる。
【０２４０】
また、図２４に示す例では、関連情報を受信した旨に加え、当該関連情報をテレビジョン受像機３で確認してほしい旨を報知させる。上述の処理は、制御部（遠隔報知部）１１が、関連情報又は関連情報を取得した旨の情報を電気機器６０に報知させると言い換えることもできる。
【０２４１】
なお、情報処理装置２０から電気機器６０に送信される上記関連情報は、携帯端末等においてしばしば用いられる所謂プッシュメールの形態で送信されてもよい。例えば、電気機器６０には、情報処理装置２０から受信するプッシュメールを開く専用のアプリケーションがインストールされており、ユーザのプッシュメールを開く操作に応じて、アプリケーションが起動し、上記関連情報が表示される構成であってもよい。また、電気機器６０で、情報処理装置２０から受信したプッシュメールに含まれるＵＲＬをウェブブラウザで開くことで、図２３には図示しない、電気機器６０が別途備える表示部（表示パネル）に上記関連情報が表示される構成であってもよい。
【０２４２】
また、報知部６４が関連情報を報知する場合、又は電気機器６０が別途備える表示部が関連情報を表示する場合には、当該関連情報に付与された優先度に応じた順番又は態様により、当該関連情報を報知又は表示してもよい。優先度に応じた表示態様の例としては、優先度が高い関連情報には、装飾した枠を付加する構成等が挙げられる。
【０２４３】
図２４に示すように、関連情報取得部１５が上記関連情報を受信した時には、表示部１３には既に別のシーンまたは別の番組が表示されているため、表示部１３にメタ情報を表示すると、番組の視聴を阻害することとなる。一方で、上記の構成によれば、関連情報を電気機器６０から音声（発話）により報知させて提供できるので、番組の視聴を阻害することなく関連情報を提供できる効果を奏する。
【０２４４】
また、報知方法について、上記音声（発話）により報知に限定されず、他の方法、例えば上記の表示部に表示させることによる報知などであってもよい。
【０２４５】
＜関連情報表示時間の制御例＞
本例について、図１及び図２５に基づいて説明すれば、以下の通りである。
【０２４６】
本例においては、関連情報の内容に応じて上記関連情報を表示する時間を決定する表示装置１０の構成例について説明する。なお便宜上、上記の例にて説明した部材と同じ機能を有する部材については、同じ符号を付記し、説明を省略する。本例においても、図１に示す構成を用いる。
【０２４７】
ユーザが番組の視聴を終了し、表示装置１０のリモコンの電源ボタンを押下する等の表示部１３の画面表示をＯＦＦにする操作を行うステップＳ５０８までの処理においては、＜関連情報表示の例１−２＞における処理と同様である。以下、同ステップＳ５０８より後の処理について説明する。
【０２４８】
表示制御部１２は、記憶部１４に格納された関連情報を表示部１３に表示する。なお、制御部１１が、記憶部１４に番組の視聴履歴データを保存し、上記視聴履歴データを参照することにより、表示制御部１２は、記憶部１４に格納されている関連情報のうち、ユーザが少なくとも一部を視聴した番組の所定の関連情報のみを表示部１３に表示する構成でもよい。
【０２４９】
表示制御部１２は、上記関連情報の内容に応じて関連情報を表示部１３に表示させる時間を決定する。上記関連情報の内容とは、例えば表示する上記関連情報の個数、あるいは表示している上記関連情報が含む文字数等が挙げられる。
【０２５０】
表示制御部１２は、上記時間の経過後に、表示部１３の画面をＯＦＦにする。例えば図２５の８５Ｂに示すように表示する関連情報が３つ存在すれば上記関連情報を３０秒間表示し、図２５の８５Ｄに示すように表示する関連情報が１つしか存在しなければ上記関連情報は１０秒間しか表示しないといった構成が挙げられる。このように、表示制御部１２は、関連情報の表示する内容に応じて上記関連情報を表示部１３に表示させる時間を決定する。
【０２５１】
また、表示制御部１２は、例えば表示する１又は複数の関連情報に付与された優先度の合計値に応じて当該１又は複数の関連情報を表示部１３に表示する時間を決定する構成でもよい。また、表示制御部１２は、図２５の８５Ｂ及び８５Ｄに示すような関連情報の一覧画面において、当該関連情報に付与された優先度に応じた態様で当該関連情報を表示してもよい。優先度に応じた表示態様の例としては、優先度が高い関連情報には、装飾した枠を付加する構成等が挙げられる。
【０２５２】
また、ユーザが再度表示部１３の画面表示をＯＦＦにする操作を行った場合、すぐさま上記関連情報の表示を終了する構成でもよい。上記関連情報の表示中に上記関連情報の参照等を行った場合においては、表示制御部１２は所定の時間の経過後に表示部１３の画面をＯＦＦにするという当所の操作をキャンセルする。
【０２５３】
上記の構成によれば、長時間表示する必要が無い関連情報においては表示する時間を短縮することにより表示画面の表示の終了をすぐさま確認することができ、更に節電に寄与する効果を奏する。
【０２５４】
本例においては、画面表示の終了に起因して表示装置１０が、関連情報を画面に表示する構成による説明を行ったが、本発明は上記の構成に限定されない。上述の関連情報表示の表示タイミング例それぞれに示したタイミングで、表示装置１０が、当該関連情報を画面に表示する構成でもよい。
【０２５５】
＜関連情報の抽出表示例＞
本例について、図１及び図２６に基づいて説明すれば、以下の通りである。
【０２５６】
本例においては、情報源に応じた表示態様にて関連情報を表示する表示装置の構成について説明する。なお便宜上、上記の例にて説明した部材と同じ機能を有する部材については、同じ符号を付記し、説明を省略する。本例においても、図１に示す構成を用いる。
ただし、受信部２５は、メタ情報配信装置２、並びに、図１には図示しない一般視聴者及びネットショッピング出店者等の複数の情報源から、メタ情報を受信する。
【０２５７】
メタ情報配信装置２は、番組の放送中または放送後に当該番組の内容から抽出したメタ情報を時系列に沿って生成する。一般視聴者、または、ネットショッピング出店者は、番組の放送中または放送後に放送内容に関連する情報を、例えばインターネット上の投稿サイトや掲示板等に書き込むことにより生成する。情報処理装置２０が備える受信部２５は、メタ情報配信装置２、一般視聴者、およびネットショッピング出店者等の複数の情報源からの情報を受信する。
【０２５８】
関連情報生成部２２は複数の情報源から受信した情報を参照し、番組の放送内容に関連した関連情報を生成する。なお、関連情報生成部２２によって生成された関連情報のそれぞれには、情報源を示す情報が含まれている。制御部２１は関連情報生成部２２が生成した関連情報を記憶部２３に格納する。
【０２５９】
以降、表示制御部１２が表示部１３に当該番組の映像の表示を開始する処理から、ユーザが番組の視聴を終了し、表示装置１０のリモコンの電源ボタンを押下する等の表示部１３の画面表示をＯＦＦにする操作を行うステップＳ５０８までの処理においては、＜関連情報表示の例１−２＞における処理と同様である。以下、同ステップＳ５０８より後の処理について説明する。
【０２６０】
表示制御部１２は、図２６の８６Ｃに示すように、記憶部１４に格納されている関連情報を情報源に応じた表示態様にて表示部１３に表示する。即ち、表示制御部１２は、関連情報の情報源が複数存在する場合に、上記情報源に応じた表示態様にて関連情報を表示部１３に表示させる。
【０２６１】
なお、制御部１１が、記憶部１４に番組の視聴履歴データを保存し、上記視聴履歴データを参照することにより、表示制御部１２は、記憶部１４に格納されている関連情報のうち、ユーザが少なくとも一部を視聴した番組の所定の関連情報のみを表示部１３に表示する構成でもよい。
【０２６２】
表示制御部１２は、各関連情報の情報源に応じて予め設定された表示態様によって、関連情報を表示する。表示制御部１２は、例えば、関連情報を囲むフレームの色または形、関連情報に付すマークの色、形、または数（図２６の８６Ｃでは星形マークの数）、および関連情報を表示する位置等の、関連情報の情報源に応じた表示態様で、関連情報を表示部１３に表示する。なお、関連情報の情報源と、表示態様との対応を示す表示態様対応テーブルが記憶部１４に記憶されており、表示制御部１２は、この記憶部１４に記憶されている表示態様対応テーブルを参照して関連情報を表示してもよい。
【０２６３】
また、表示制御部１２は、図２６の８６Ｃに示すような関連情報の一覧画面において、当該関連情報に付与された優先度に応じた態様で当該関連情報を表示してもよい。優先度に応じた表示態様の例としては、優先度が高い関連情報には、装飾した枠を付加する構成等が挙げられる。
【０２６４】
関連情報の表示中に、ユーザが関連情報の参照等を行わない場合、所定の時間の経過後に表示制御部１２は、図２６の８６Ｅのように表示部１３の画面をＯＦＦにする。また、ユーザが再度表示部１３の画面表示をＯＦＦにすることによってコンテンツ（番組）の表示を終了する操作を行った場合、すぐさま関連情報の表示を終了する構成でもよい。図２６の８６Ｄに示すように関連情報の表示中にユーザが関連情報を参照する操作等を行った場合においては、表示制御部１２は所定の時間の経過後に表示部１３の画面をＯＦＦにするという当所の操作をキャンセルする。
【０２６５】
上記の構成によれば、番組の放送中に明示的に紹介された商品や場所の情報に加えて、番組の放送中に明示的に紹介されていない、例えば映っただけの、商品や場所に関する関連情報を提供することができる。また、ユーザが番組の視聴を終了したタイミングで関連情報を提供できるので、番組の視聴を阻害することなく関連情報を提供できる効果を奏する。
【０２６６】
本例においては、画面表示の終了に起因して表示装置が、関連情報を画面に表示する構成による説明を行ったが、本発明は上記の構成に限定されない。上述の関連情報表示の表示タイミング例それぞれに示したタイミングで、表示装置が、当該関連情報を画面に表示する構成でもよい。
【０２６７】
〔ソフトウェアによる実現例〕
表示装置１０の制御ブロック（特に関連情報取得部１５および表示制御部１２）は、集積回路（ＩＣチップ）等に形成された論理回路（ハードウェア）によって実現してもよいし、ソフトウェアによって実現してもよい。
【０２６８】
後者の場合、表示装置１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Centrａl Processing Unit）を用いることができる。上記記録媒体としては、「一時的でない有形の媒体」、例えば、ＲＯＭ（Reａd Only Memory）等の他、テープ、ディスク、カード、半導体メモリ、プログラマブルな論理回路などを用いることができる。また、上記プログラムを展開するＲＡＭ（Rａndom Ａccess Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０２６９】
〔まとめ〕
本発明の態様１に係る表示装置（１０、１０ａ、１０ｃ及び１０ｄ）は、ユーザが少なくとも一部を視聴した番組に関する関連情報であって、当該番組の放送中又は放送後に当該番組の放送内容に基づいて生成された関連情報を取得する関連情報取得部１５と、ユーザの反応に応じて反応タイミングを特定するタイミング特定部３０と、上記タイミング特定部３０が特定した反応タイミングに応じて定まる関連情報を表示部１３に表示する表示制御部１２とを備えている構成である。
【０２７０】
上記の構成によれば、ユーザが少なくとも一部を視聴した番組に関するメタ情報と、視聴中のユーザの反応を組み合わせることで、有益な情報を表示することができる。
【０２７１】
本発明の態様２に係る表示装置（１０、１０ａ、１０ｃ及び１０ｄ）は、上記の態様１において、上記タイミング特定部３０は、ユーザによる操作に応じて上記反応タイミングを特定してもよい。
【０２７２】
上記の構成によれば、タイミング特定部３０は、例えば、ユーザによる、表示装置１０のリモコンの「いいね」ボタン操作により発された信号に応じて、ユーザが反応した反応タイミングを特定することができる。
【０２７３】
本発明の態様３に係る表示装置（１０、１０ａ、１０ｃ及び１０ｄ）は、上記の態様１又は２において、周囲の音を集音するマイク３１を更に備え、上記タイミング特定部３０は、上記マイク３１が集音した音に応じて上記反応タイミングを特定してもよい。
【０２７４】
上記の構成によれば、例えば、タイミング特定部３０は、マイク３１がユーザの特定の発声（例えば、「いいね」という発声）を集音した場合に、ユーザが反応したと判定して、ユーザの反応の反応タイミングを特定することができる。
【０２７５】
本発明の態様４に係る表示装置（１０、１０ａ、１０ｃ及び１０ｄ）は、上記の態様１から請求項３の何れか１項において、上記表示制御部は、上記関連情報取得部１５が取得した関連情報のうち、上記タイミング特定部３０が特定した反応タイミングに応じて定まる関連情報を表示する場合、反応タイミングに応じて定まる関連情報であることを示す情報を表示する構成としてもよい。
【０２７６】
上記の構成によれば、ユーザが、当該関連情報が、自身の望む関連情報であることを速やかに確認でき、見逃してしまうことを抑制する効果を奏する。
【０２７７】
本発明の態様５に係る表示装置（１０、１０ａ、１０ｃ及び１０ｄ）は、上記の態様１から４までの何れかにおいて、上記表示制御部１２は、上記反応タイミングに応じて定まる優先度が付与された関連情報を表示部１３に表示する構成としてもよい。
【０２７８】
上記の構成によれば、当該関連情報における優先度により、ユーザに対する重要度を区分することができる。
【０２７９】
本発明の態様６に係る表示装置（１０、１０ａ、１０ｃ及び１０ｄ）は、上記の態様５において、上記優先度が付与される関連情報は、上記タイミング特定部３０が特定した上記反応タイミングの前後の所定の時間幅に含まれるタイミングに紐づけられた関連情報である構成としてもよい。
【０２８０】
上記の構成によれば、優先度の有無により、上記所定の時間幅に含まれるタイミングに紐づけられた関連情報であるか否かを判別できる。
【０２８１】
本発明の態様７に係る表示装置（１０、１０ａ、１０ｃ及び１０ｄ）は、上記の態様５又は６において、上記表示制御部１２は、当該関連情報に付与された優先度に応じた表示態様で上記関連情報を表示部１３に表示する構成としてもよい。
【０２８２】
上記の構成によれば、例えば、より優先度の高い関連情報を装飾することで、ユーザが当該関連情報を認識しやすくなる効果を奏する。
【０２８３】
本発明の態様８に係る表示装置（１０、１０ａ、１０ｃ及び１０ｄ）は、上記の態様５から７までの何れかにおいて、上記表示制御部１２は、上記優先度が高い関連情報を優先して表示部１３に表示する構成としてもよい。
【０２８４】
上記の構成によれば、表示部１３に一度に表示可能な関連情報の数よりも、表示候補である関連情報の数が多い場合においても、より好適な関連情報をユーザに対して提示することができる。
【０２８５】
本発明の態様９に係る表示装置（１０、１０ａ、１０ｃ及び１０ｄ）は、上記の態様１から８までの何れかにおいて、上記表示制御部１２は、画面表示の終了に起因して上記関連情報を表示部１３に表示させる構成としてもよい。
【０２８６】
上記の構成によれば、ユーザが番組の視聴を終了したタイミングで関連情報を提供できるので、番組の視聴を阻害することなく関連情報を提供できる効果を奏する。
【０２８７】
本発明の態様１０に係る表示装置（１０、１０ａ、１０ｃ及び１０ｄ）は、上記の態様１から８までの何れかにおいて、上記表示制御部１２は、上記関連情報を取得したことに起因して、上記関連情報又は上記関連情報を取得した旨の情報を表示部１３に表示させる構成としてもよい。
【０２８８】
上記の構成によれば、番組の視聴を極力阻害せずに、関連情報を提供できる効果を奏する。
【０２８９】
本発明の態様１１に係る表示装置（１０、１０ａ、１０ｃ及び１０ｄ）は、上記の態様１から８までの何れかにおいて、上記表示制御部１２は、上記関連情報を取得したことに起因して画面を表示し、上記関連情報を表示部１３に表示させる構成としてもよい。
【０２９０】
上記の構成によれば、関連情報の取得に起因して自動的に表示部１３の画面が表示し、関連情報を表示するのでユーザが表示画面の画面を表示していない場合においてもユーザに即時性の高い情報を提供できる効果を奏する。
【０２９１】
本発明の態様１２に係る表示装置（１０、１０ａ、１０ｃ及び１０ｄ）は、上記の態様１から８までの何れかにおいて、上記表示制御部１２は、画面表示の開始に起因して上記関連情報を表示部１３に表示させる構成としてもよい。
【０２９２】
上記の構成によれば、表示装置（１０、１０ａ、１０ｃ及び１０ｄ）を使用する場合に関連情報をすぐさま表示することができる効果を奏する。
【０２９３】
本発明の態様１３に係る表示装置（１０、１０ａ、１０ｃ及び１０ｄ）は、上記の態様１から１２までの何れかにおいて、遠隔報知部１１を更に備え、上記遠隔報知部１１は、上記関連情報又は上記関連情報を取得した旨の情報を携帯端末装置に表示させる構成としてもよい。
【０２９４】
上記の構成によれば、番組視聴を邪魔することなく、且つ、別の場所にいてもユーザが情報取得可能なように、後メタ情報及び後メタ情報に基づき生成された関連情報を提供できる。
【０２９５】
本発明の態様１４に係る表示装置（１０、１０ａ、１０ｃ及び１０ｄ）は、上記の態様１から１２までの何れかにおいて、遠隔報知部１１を更に備え、上記遠隔報知部１１は、上記関連情報又は上記関連情報を取得した旨の情報を電気機器に報知させる構成としてもよい。
【０２９６】
上記の構成によれば、番組視聴を邪魔することなく、ユーザが見ていた番組の放送内容に基づいて生成された関連情報を電気機器から報知させることができる。
【０２９７】
本発明の態様１５に係る表示装置（１０、１０ａ、１０ｃ及び１０ｄ）は、上記の態様１から１４までの何れかにおいて、上記表示制御部１２は、上記関連情報の表示する内容に応じて上記関連情報を表示部１３に表示させる時間を決定する構成としてもよい。
【０２９８】
上記の構成によれば、より適切な時間、番組の関連情報を表示する表示装置（１０、１０ａ、１０ｃ及び１０ｄ）を実現できる。
【０２９９】
本発明の態様１６に係る表示装置（１０、１０ａ、１０ｃ及び１０ｄ）は、上記の態様１から１５までの何れかにおいて、上記表示制御部１２は、上記関連情報の情報源が複数存在する場合に、上記情報源に応じた表示態様にて関連情報を表示部１３に表示させる構成としてもよい。
【０３００】
上記の構成によれば、番組に関する多様な関連情報を提供することができる。
【０３０１】
本発明の態様１７に係るテレビジョン受像機（３、３ａ、３ｃ及び３ｄ）は、態様１から１６までの何れかに記載の表示装置（１０、１０ａ、１０ｃ又は１０ｄ）を備えている構成としてもよい。
【０３０２】
上記の構成によれば、態様１から１３までに示した効果を奏するテレビジョン受像機（３、３ａ、３ｃ及び３ｄ）を実現できる。
【０３０３】
本発明の態様１８に係る情報処理装置（２０、２０ａ及び２０ｂ）は、ユーザが少なくとも一部を視聴した番組に関する関連情報であって、当該番組の放送中又は放送後に当該番組の放送内容に基づいて生成された関連情報を記憶する記憶部２３と、ユーザの反応を示すユーザ反応情報を取得する取得部３２と、上記取得部３２が取得したユーザの反応に応じて反応タイミングを特定し、特定した反応タイミングに応じて、上記記憶部２３に記憶された関連情報から、表示装置（１０、１０ａ、１０ｃ又は１０ｄ）に出力すべき関連情報を抽出する抽出部３３と、上記抽出部３３が抽出した関連情報を上記表示装置に出力する関連情報出力部２４とを備えている構成である。
【０３０４】
上記の構成によれば、不要な関連情報は表示装置（１０、１０ａ、１０ｃ及び１０ｄ）に送信しないため、ネットワークと上記表示装置とに対する負荷を軽減させる効果を奏する。
【０３０５】
本発明の態様１９に係る表示システム（１、１ａ、１ｂ、１ｃ及び１ｄ）は、態様１から１６までのいずれかに記載の表示装置（１０、１０ａ、１０ｃ又は１０ｄ）と上記関連情報を出力する情報処理装置（２０、２０ａ又は２０ｂ）と、を備えている構成としてもよい。
【０３０６】
本発明の態様２０に係る制御プログラムは、上記の態様１から１６までの何れかに係る表示装置（１０、１０ａ、１０ｃ又は１０ｄ）としてコンピュータを機能させるための制御プログラムであって、上記コンピュータを上記関連情報取得部１５、上記タイミング特定部３０及び上記表示制御部１２として機能させる構成としてもよい。
【０３０７】
本発明の態様２１に係る記録媒体は、態様２０に係る制御プログラムを記録したコンピュータ読み取り可能な記録媒体であってもよい。
【０３０８】
本発明の各態様に係る表示装置（１０、１０ａ、１０ｃ及び１０ｄ）は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０３０９】
本発明は上述した各実施例に限定されるものではなく、請求項に示した範囲で種々の変更が可能であり、異なる実施例にそれぞれ開示された技術的手段を適宜組み合わせて得られる実施例についても本発明の技術的範囲に含まれる。さらに、各実施例にそれぞれ開示された技術的手段を組み合わせることにより、新しい技術的特徴を形成することができる。
【符号の説明】
【０３１０】
１、１ａ、１ｂ、１ｃ、１ｄ  表示システム
２  メタ情報配信装置
３、３ａ、３ｃ、３ｄ  テレビジョン受像機
１０、１０ａ、１０ｃ、１０ｄ  表示装置
１１  制御部（遠隔報知部）
２１  制御部
１２、５２  表示制御部
１３、５４  表示部
１４、２３  記憶部
１５、５３、６３  関連情報取得部
１６  送信部
１７  ユーザ信号取得部
１８  関連情報送信部
１９  優先度決定部
２０、２０ａ、２０ｂ  情報処理装置
２２  関連情報生成部
２４  関連情報出力部
２５、２５ａ、２５ｂ  受信部
２６  終了通知取得部
２７  開始通知取得部
３０  タイミング特定部
３１  マイク
３２  取得部
３３  抽出部
５０  携帯端末装置
６０  電気機器
６２  報知制御部
６４  報知部
【図１】
2019047477.tif 000003
【図２】
2019047477.tif 000004
【図３】
2019047477.tif 000005
【図４】
2019047477.tif 000006
【図５】
2019047477.tif 000007
【図６】
2019047477.tif 000008
【図７】
2019047477.tif 000009
【図８】
2019047477.tif 000010
【図９】
2019047477.tif 000011
【図１０】
2019047477.tif 000012
【図１１】
2019047477.tif 000013
【図１２】
2019047477.tif 000014
【図１３】
2019047477.tif 000015
【図１４】
2019047477.tif 000016
【図１５】
2019047477.tif 000017
【図１６】
2019047477.tif 000018
【図１７】
2019047477.tif 000019
【図１８】
2019047477.tif 000020
【図１９】
2019047477.tif 000021
【図２０】
2019047477.tif 000022
【図２１】
2019047477.tif 000023
【図２２】
2019047477.tif 000024
【図２３】
2019047477.tif 000025
【図２４】
2019047477.tif 000026
【図２５】
2019047477.tif 000027
【図２６】
2019047477.tif 000028
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
ユーザが少なくとも一部を視聴した番組に関する関連情報であって、当該番組の放送中又は放送後に当該番組の放送内容に基づいて生成された関連情報を取得する関連情報取得部と、
ユーザの反応に応じて反応タイミングを特定するタイミング特定部と、
上記タイミング特定部が特定した反応タイミングに応じて定まる関連情報を表示部に表示する表示制御部と
を備え、
上記表示制御部は、画面表示の終了操作に起因して上記関連情報を表示部に表示させることを特徴とする表示装置。
【請求項２】
ユーザが少なくとも一部を視聴した番組に関する関連情報であって、当該番組の放送中又は放送後に当該番組の放送内容に基づいて生成された関連情報を取得する関連情報取得部と、
ユーザの反応に応じて反応タイミングを特定するタイミング特定部と、
上記タイミング特定部が特定した反応タイミングに応じて定まる関連情報と、上記ユーザの反応を受け付けたことを示す情報と、を表示部に表示する表示制御部と
を備えていることを特徴とする表示装置。
【請求項３】
上記表示制御部は、上記関連情報を取得したことに起因して、上記関連情報又は上記関連情報を取得した旨の情報を表示部に表示させることを特徴とする請求項２に記載の表示装置。
【請求項４】
上記表示制御部は、上記関連情報を取得したことに起因して画面を表示し、上記関連情報を表示部に表示させることを特徴とする請求項２に記載の表示装置。
【請求項５】
上記表示制御部は、画面表示の開始に起因して上記関連情報を表示部に表示させることを特徴とする請求項２に記載の表示装置。
【請求項６】
上記タイミング特定部は、ユーザによる操作に応じて上記反応タイミングを特定することを特徴とする請求項１から請求項５の何れか１項に記載の表示装置。
【請求項７】
周囲の音を集音するマイクを更に備え、
上記タイミング特定部は、上記マイクが集音した音に応じて上記反応タイミングを特定することを特徴とする請求項１から請求項６の何れか１項に記載の表示装置。
【請求項８】
上記表示制御部は、上記関連情報取得部が取得した関連情報のうち、上記タイミング特定部が特定した反応タイミングに応じて定まる関連情報を表示する場合、反応タイミングに応じて定まる関連情報であることを示す情報を表示することを特徴とする請求項１から請求項７の何れか１項に記載の表示装置。
【請求項９】
上記表示制御部は、
上記反応タイミングに応じて定まる優先度が付与された関連情報を表示部に表示することを特徴とする請求項１から８までの何れか１項に記載の表示装置。
【請求項１０】
上記優先度が付与される関連情報は、上記タイミング特定部が特定した上記反応タイミングの前後の所定の時間幅に含まれる所定の時間に紐づけられた関連情報である
ことを特徴とする請求項９に記載の表示装置。
【請求項１１】
上記表示制御部は、当該関連情報に付与された優先度に応じた表示態様で上記関連情報を表示部に表示する
ことを特徴とする請求項１０に記載の表示装置。
【請求項１２】
上記表示制御部は、上記優先度が高い関連情報を優先して表示部に表示する
ことを特徴とする請求項１０又は１１に記載の表示装置。
【請求項１３】
遠隔報知部を更に備え、
上記遠隔報知部は、上記関連情報又は上記関連情報を取得した旨の情報を携帯端末装置に表示させる
ことを特徴とする請求項１から１２までの何れか１項に記載の表示装置。
【請求項１４】
遠隔報知部を更に備え、
上記遠隔報知部は、上記関連情報又は上記関連情報を取得した旨の情報を電気機器に報知させる
ことを特徴とする請求項１から１２までの何れか１項に記載の表示装置。
【請求項１５】
上記表示制御部は、
上記関連情報の表示する内容に応じて上記関連情報を表示部に表示させる時間を決定する
ことを特徴とする請求項１から１４までの何れか１項に記載の表示装置。
【請求項１６】
上記表示制御部は、
上記関連情報の情報源が複数存在する場合に、
上記情報源に応じた表示態様にて関連情報を表示部に表示させる
ことを特徴とする請求項１から１５までの何れか１項に記載の表示装置。
【請求項１７】
請求項１から１６までの何れか１項に記載の表示装置を備えていることを特徴とするテレビジョン受像機。
【請求項１８】
ユーザが少なくとも一部を視聴した番組に関する関連情報であって、当該番組の放送中又は放送後に当該番組の放送内容に基づいて生成された関連情報を記憶する記憶部と、
ユーザの反応を示すユーザ反応情報を取得する取得部と、
上記取得部が取得したユーザの反応に応じて反応タイミングを特定し、特定した反応タイミングに応じて、上記記憶部に記憶された関連情報から、表示装置に出力すべき関連情報を抽出する抽出部と、
上記抽出部が抽出した関連情報を上記表示装置に出力する関連情報出力部と
を備え、
上記関連情報出力部は、画面表示の終了操作に起因して上記関連情報を表示装置に出力することを特徴とする情報処理装置。
【請求項１９】
ユーザが少なくとも一部を視聴した番組に関する関連情報であって、当該番組の放送中又は放送後に当該番組の放送内容に基づいて生成された関連情報を記憶する記憶部と、
ユーザの反応を示すユーザ反応情報を取得する取得部と、
上記取得部が取得したユーザの反応に応じて反応タイミングを特定し、特定した反応タイミングに応じて、上記記憶部に記憶された関連情報から、表示装置に出力すべき関連情報を抽出する抽出部と、
上記抽出部が抽出した関連情報と、上記ユーザの反応を受け付けたことを示す情報と、を上記表示装置に出力する関連情報出力部と
を備えていることを特徴とする表示装置。
【請求項２０】
請求項１から１６までのいずれか１項に記載の表示装置と
上記関連情報を出力する情報処理装置と、
を備えていることを特徴とする表示システム。
【請求項２１】
請求項１から１６までの何れか１項に記載の表示装置としてコンピュータを機能させるための制御プログラムであって、上記関連情報取得部、上記タイミング特定部及び上記表示制御部としてコンピュータを機能させるための制御プログラム。
【請求項２２】
請求項２１に記載の制御プログラムを記録したコンピュータ読み取り可能な記録媒体。